(57)【特許請求の範囲】
【請求項１】
透明ベースおよび以下の各分光感度要件：
Ｓmax(426-444nm)≧６５％Ｓmax(400-500nm)
ＩＳ(425-450) ≧２５％（ＩＳ(400-500) ）
［式中、Ｓmax(426-444nm)は、４２６〜４４４ｎｍの間に乳剤のピーク感度を与える少なくとも１種の増感色素を用いて得られる４２６〜４４４ｎｍの間の最大感度であり、
Ｓmax(400-500nm)は、少なくとも１種の増感色素を用いて得られる４００〜５００ｎｍの間の最大感度であり、
ＩＳ(425-450) は、４２５〜４５０ｎｍでの青感性層の積分した分光感度であり、そして
ＩＳ(400-500) は、４００〜５００ｎｍの領域での青感性層の積分した分光感度である］
を満足する青感性ハロゲン化銀乳剤層を含んでなるカラーネティブ写真要素であって、
前記青感性層が１０モル％未満の塩化物を有する青感性臭ヨウ化銀乳剤であるハロゲン化銀平板状粒子乳剤を含み、前記平板状粒子が総粒子投影面積の少なくとも５０％を占め、前記平板状粒子が２以上の平均アスペクト比を有するカラーネガティブ写真要素。
【請求項２】
前記青感性ハロゲン化銀乳剤層が、一方が４２６〜４４４ｎｍ範囲に感度ピークを与え、もう一方が４５０〜５００ｎｍ範囲に感度ピークを与える、少なくとも二種類の増感色素で増感されている請求項１に記載の要素。
【請求項３】
被写体カラーネガティブの色濃度を測定し、基準ネガティブに対する被写体ネガティブの色飽和度の差を評価し、そして、最適なカラーバランスのプリントを作成するのに基準ネガティブが必要とするのと同一の赤、緑および青露光量を被写体ネガティブに与えた場合よりも、被写体ネガティブから作成されるプリントが、基準ネガティブから作成された最適なカラーバランスのプリントにより近いカラーバランスを有するように、前記差に基づいて被写体ネガティブの赤、緑もしくは青光露光量を調節する、プリンターで前記ネガティブをプリントすることを含んでなる被写体カラーネガティブからポジをプリントする方法であって；
露光および処理以前に、前記被写体ネガティブが、透明ベース並びに酸化された発色現像主薬との反応時にシアン色素を生成するカプラーを含有する赤感性ハロゲン化銀乳剤層、酸化された発色現像主薬との反応時にマゼンタ色素を生成するカプラーを含有する緑感性ハロゲン化銀乳剤層、および酸化された発色現像主薬との反応時にイエロー色素を生成するカプラーを含有する青感性ハロゲン化銀乳剤層を含んでなり、
前記青感性ハロゲン化銀層が以下の各分光感度要件を満足し：
Ｓmax(426-444nm)≧６５％Ｓmax(400-500nm)
ＩＳ(425-450) ≧２５％（ＩＳ(400-500) ）
［式中、Ｓmax(426-444nm)は、４２６〜４４４ｎｍの間に乳剤のピーク感度を与える少なくとも１種の増感色素を用いて得られる４２６〜４４４ｎｍの間の最大感度であり、
Ｓmax(400-500nm)は、少なくとも１種の増感色素を用いて得られる４００〜５００ｎｍの間の最大感度であり、
ＩＳ(425-450) は、４２５〜４５０ｎｍでの青感性層の積分した分光感度であり、そして
ＩＳ(400-500) は、４００〜５００ｎｍの領域での青感性層の積分した分光感度である］；
前記青感性ハロゲン化銀層がハロゲン化銀平板状粒子乳剤を含み、前記平板状粒子が総粒子投影面積の少なくとも５０％を占め、前記平板状粒子が２以上の平均アスペクト比を有し；そして
５３０ｎｍ≦λGmax≦５７０ｎｍ、および
５８０ｎｍ≦λRmax≦６６０ｎｍ
（式中、λGmaxは、緑感性層の最大緑感度の波長であり、そして
λRmaxは、赤感性層の最大赤感度の波長である）である前記方法。
【発明の詳細な説明】
【０００１】
【産業上の利用分野】
本発明は、規定する青分光感度プロフィールを備えた青感性層を有する写真要素、およびそのような要素からプリントを生成する方法に関する。
【０００２】
【従来の技術】
典型的なカラー写真用ネガティブは、可視光スペクトル、即ち、赤、緑および青のそれぞれの領域に感光性である三種類の記録を有する。通常、各記録はそれぞれが感光性ハロゲン化銀乳剤を含有する一つ以上の層から作られている。また、これらの記録は、シアン、マゼンタおよびイエロー色素をそれぞれ像様に生成するカプラーを含有する。カラーネガティブフィルムでは、これらの記録は、通常、赤、緑および青感性記録の順に支持体上に配置されている（即ち、青感性記録が支持体から最も遠い）。一般的なハロゲン化銀乳剤は、通常、形状が主として立方体、八面体、立方−八面体もしくは多形態である粒子を含んでいる。そのような粒子は、典型的に、約４００〜４３０ｎｍの可視光範囲に対して固有の感度を持っている。従って、増感色素をこの乳剤に用いて、所望するスペクトルの赤および緑領域に増感する。青増感色素は、一般的に、４５０〜５００ｎｍ領域に青感性乳剤を増感する。
【０００３】
カラーネガティブフィルムの青感性層に使用するための平板状粒子乳剤は公知である。平板状粒子が青感性層に存在する場合、下に位置する緑および赤感性層への入射光の透過を改良する。これら粒子は、４００〜４３０ｎｍの領域にほとんど固有の感度を持たないが、４５０〜５００ｎｍの領域により多く光子が存在しており、青記録の感度が最大になるので、一般的に、その乳剤を４５０〜５００ｎｍの領域に増感する。粒子の表面積は限られており、ハロゲン化銀粒子に吸着されることができる増感色素の量も限られているので、４５０〜５００ｎｍ領域の外側に増感するために更に増感色素を追加することは、一般的に乳剤全体の感度低下を生じるであろう。
【０００４】
像様露光および処理の次に、通常、ネガティブ画像を受容体（一般的に紙ベースを有するが、透明ベースもまた用いることができる）に焼付けて、ポジ画像を生成する。プリントの全体的なカラー品質は、ネガティブのシアン、マゼンタおよびイエロー濃度の相対量に依存する。具体的な撮影光源（通常、デイライト）では、グレー均一な目的物を撮影する場合に指定されたシアン、マゼンタ、およびイエロー濃度関係が達成されるように、カラーネガティブフィルムを設計する。しかし、露光して処理されたネガティブが全て、実際にネガティブ全体を積分してグレーに等しくなる合計色素濃度は、有しないであろう。これには、化学的処理変化、潜像およびフィルム保存の変化性、シーン分光光源変化、並びに赤い車のフードに寝ている白猫のような積分してグレーにならない対象からなるシーンを含む、いくつかの原因がある。
【０００５】
例えば、あるタイプの蛍光灯下で写真をとると、通常、プリントは好ましくない緑バイアスを伴って作成される。この緑バイアス（または、シーン光源もしくは上記の他のファクターを原因とするどのカラーバイアス）も、適切なカラーフィルターを用いて特定のネガティブを注文プリントすること（即ち、ネガティブを通る赤、緑もしくは青光の露光量を調節すること）により部分的に補正できる。注文プリントでは、操作員の経験に従って試行錯誤により、各ネガティブを人がプリンターを操作して、その調節を行う。しかし、注文プリントは、より容認できる写真プリントを作成する時間浪費型の方法である。
【０００６】
カラーネガティブから急速かつより経済的なプリントを得るために、自動プリンターが開発されている。効果的に設計されたプリンターは、そのプリンターに用いられる写真ペーパーに行うのと同じ様に効率的に、赤、緑および青濃度（即ち、ネガティブ全体に渡って、プリンターアルゴリズムにより積分される、赤、緑および青濃度）を査定するプリンターアルゴリズムに用いられる、一つの広域センサーもしくはいくつかのより小さなセンサーにおいて、赤、緑および青感受性の設定を有する。これらのプリンターは、フィルム設計光源（一般的に、デイライト）下でグレー目的物を用いて露光した場合に、基準ネガティブの赤、緑、および青濃度が中性フィルム露光量であると認められるように、設定される。従って、そのようなネガティブの場合、グレー中心に対する積分された赤、緑および青濃度（Ｄ’という）は、Ｄ’＝０である。いずれのプリンターも、これにより、プリントに対する対象ネガティブの適切な赤、緑もしくは青光露光量を調節して（例えば、光源および／もしくはフィルターを直接制御して、これらの色の時間もしくは照度を調整することによる）、完全なグレープリントバランスを生成する。
【０００７】
しかし、そのような自動プリンターが、Ｄ’がゼロでない露光済みネガティブに遭遇する場合、そのＤ’の値に従うように、赤、緑および／もしくは青光露光量を変える（即ち「補正」）ようにプリンターアルゴリズムを設計する。この補正を適用する程度は、用いる特定のプリンターアルゴリズムに依存して変る。カラーバイアスの種々の原因のために、正しく設計されたプリンターは１００％の補正を加えない。簡単なアルゴリズムは、いくらかの小さな補正（しばしば、５０％）を加えて、グレーに合計されない捕獲したシーンの外観を著しく変えることができる、フィルムのカラーバイアスを全て除く可能性を最小限にする。より複雑なアルゴリズムは、カラーバイアス方向（色相）に依存して補正の量を変えて、既知の色相に依存するバイアス原因に基づいて補正するバイアスの程度に関して、より知能的な査定を行う。そのようなアルゴリズムのはたらきは、Ｅ．  Ｇｏｌｌ，  Ｄ．  Ｈｉｌｌ，  および  Ｗ．  Ｓｅｖｅｒｎによる「Ｍｏｄｅｒｎ  Ｅｘｐｏｓｕｒｅ  Ｄｅｔｅｒｍｉｎａｔｉｏｎ  ｆｏｒ  Ｃｕｓｔｏｍｉｚｉｎｇ  Ｐｈｏｔｏｆｉｎｉｓｈｉｎｇ  Ｐｒｉｎｔｅｒ  Ｒｅｓｐｏｎｓｅ  」（Ｊｏｕｒｎａｌ  ｏｆ  Ａｐｐｌｉｅｄ  Ｐｈｏｔｏｇｒａｐｈｉｃ    Ｅｎｇｉｎｅｅｒｉｎｇ，  ５  巻、ナンバー２  、ページ９３−１０４、１９７９、に発表）に記載されている。
【０００８】
前述のプロセスにより、自動プリンターは、フィルムフレームにおいて、プリンターによって認識されるカラーバイアス（即ち、Ｄ’が０と異なる程度、本明細書では、ネガティブの「飽和度：ｓａｔｕｒａｔｉｏｎ」という）のいくらかもしくは全部を除こうとする。シーン自体に存在する物体に起因する、時にはオリジナルシーンを思い起こすように、プリントされた再現物が観者に見えてくるような、シーン光源に起因するいくつかのバイアス（日暮れ時に撮影された写真のような）以外の、プリントされるネガティブの全てのカラーバイアスを、可能な限りプリント中で減らすことがプリンターの目的である。
【０００９】
【発明が解決しようとする課題】
上記タイプの自動プリンターでプリントできるカラーネガティブを提供し、そのネガティブが異なるライティング条件下（特に蛍光灯下）で露光されていても、好ましくないカラーバイアスが小さいプリントを作成することが望ましいであろう。
【００１０】
【課題を解決するための手段】
本発明は、シーン光源変化に起因する、得られるプリントの不適当なカラー補正の量を、最小限にするフィルム設計の鍵が、プリンター飽和度パラメータ（Ｄ’）を最小にすることであると認識する。補正因子にかかわらず、いずれの特定の自動プリンターアルゴリズムも適用でき、低プリンター飽和度パラメータは、常に、低残留プリントカラーバイアスを導く。関心がある全ての光源下で、同じ様な赤、緑、青濃度関係を維持することにより、異なるライティング条件下で像様露光した同じネガティブのために、このプリンター飽和度パラメータを最小にすることができる。蛍光灯もしくはデイライト下で露光される可能性があるカラーネガティブフィルムの場合、このことは、フィルムがこれらの条件下で低プリンター飽和度パラメータを有する方が良いことを意味する。カラー記録のカプラーによって生成される色素の量は、そのカプラーが配置されている層の増感に依存するので、このことは、デイライトもしくは蛍光灯下で色素の量が十分に類似するように各層の増感を制御することを意味する。
【００１１】
また、本発明は、多くの蛍光灯が４３５ｎｍでの狭強放射および４５０〜５００ｎｍでの相対的に低い放射を有していることを認識する。自動プリンターで、高いカラーバイアスを持たないプリントを得るためには、それ等をデイライトもしくは蛍光灯下で露光するかどうかにかかわらず、青感性記録は、４３５ｎｍの領域に高い感光性を有する乳剤を含む方が良い。
【００１２】
従って、本発明は、ベース（時に、「支持体」という）および以下の各分光感度要件を満足する青感性ハロゲン化銀乳剤層を含んでなるカラー写真要素を提供する：
Ｓｍａｘ（４２６−４４４ｎｍ）≧６５％Ｓｍａｘ（４００−５００ｎｍ）
ＩＳ（４２５−４５０）  ≧２５％（ＩＳ（４００−５００）  ）
［式中、Ｓｍａｘ（４２６−４４４ｎｍ）は、４２６〜４４４ｎｍの間の最大感度であり、Ｓｍａｘ（４００−５００ｎｍ）は、４００〜５００ｎｍの間の最大感度であり、そしてＩＳ（４２５−４５０）  は、４２５〜４５０ｎｍで青感性層の積分した分光感度であり、またＩＳ（４００−５００）  は、４００〜５００ｎｍの領域で青感性層の積分した分光感度である］また、本発明は、前述のタイプの写真要素の被写体カラーネガティブ（特に、蛍光灯下で露光されている様なネガティブ）からポジを焼き付ける方法を提供する。この方法は、色濃度を測定し、基準ネガティブと比べた被写体ネガティブの色濃度の差を評価し、そして、被写体ネガティブから生成されるプリントが基準ネガティブから生成されるプリントの最適なカラーバランスにより近似したカラーバランスを持つように、色濃度差に基づいて被写体ネガティブの赤、緑もしくは青光露光量（即ち、いずれか二つ、もしくは三色すべて）の量を自動的に調節するプリンターで、このネガティブをプリントすることからなる。「自動的に調節」とは、プリンターが、プリセットした適切なアルゴリズム（アルゴリズム自体は、プリンターオペレータにより変えることができる）に従って、オペレータの手動調節なしに必要な調節を行うことができることを意味する。
【００１３】
フィルム中性ガンマ（即ち、Ｄ−ｌｏｇＥ曲線の傾き）は、フィルム濃度に作用する。従って、フィルムガンマが小さくなると、プリンター飽和度パラメータが小さくなる。しかし、所定のフィルム中性ガンマにおいて、本発明は、より小さいプリンター飽和度パラメータ与えることができ、自動プリンターにおいてネガティブからプリントされるプリントのカラーバイアスを下げることができる。
【００１４】
【具体的な態様】
上記方法では、「基準ネガティブ」には、デイライト下で露光したときグレーカードを十分に再現する、ほとんどのネガティブがなることができることがわかるであろう。本明細書にいう「基準ネガティブ」は、被写体ネガティブと同じネガティブか、もしくは青感性層の分光増感以外は同じものとなることができる。従って、通常、青平板状粒子フィルムの基準ネガティブは、青感性記録の場合、全て平板状粒子ハロゲン化銀乳剤層もしくは層（複数）を有し、それぞれが増感色素で４５０〜５００ｎｍ領域にのみ増感されている。しかし、実際には、典型的な基準ネガティブは前記プリンターが処理するような種類のネガティブの集団に由来するもの（例えば、顧客の写真）であり、そのような場合の基準ネガティブは、そのような集団に基づいて統計的に平均化された赤、緑および青濃度を有するものとなる。基準ネガティブから作成される「最適カラーバランスプリント」とは、そのネガティブに、プリントがグレーカード（最初の場合）と同じ、もしくは前記集団の統計的に平均化された赤、緑および青濃度（二番目の場合）と同じカラーバランスを有するように、必要な赤、緑および青光露光量を与えた場合に、基準ネガティブから得られるプリントである。
【００１５】
本発明のカラー要素は、典型的に、ネガティブ要素（処理の後でネガティブ画像を形成するように設計されているもの）である。「カラーネガティブフィルム」とは、そのフィルムが「ネガティブ」フィルムもしくはカラーネガティブ処理で処理されるべきであるとの表記を有するフィルムを意味する。そのような表記は、一般的には、そのフィルムを標準のカラーネガティブ処理で処理すべきであるとの、フィルムもしくはパッケージ上の表示である。典型的に、カラーネガティブフィルムは、マスキングカプラー、もしくはＣ−４１（Ｂｒｉｔｉｓｈ  Ｊｏｕｒｎａｌ  ｏｆ  Ｐｈｏｔｏｇｒａｐｈｙ  Ａｎｎｕａｌ，  １９７９，  ｐ．２０４に記載）等の標準のカラーネガティブ処理の処理時に除かれない予備生成した色素を含有する。また、カラーネガティブ処理は、以下に言及するリサーチディスクロージャーＩに記載されている。また、カラーネガティブフィルムは典型的に透明支持体を有する。
【００１６】
好ましくは青感性ハロゲン化銀乳剤層は、以下の分光感度要件を満足する：
４２６ｎｍ≦λＢｍａｘ≦４４４ｎｍ
Ｓ｛４００−（  λＢｍａｘ−１５）、（λＢｍａｘ＋１５）−５００｝＜６５％（ＳλＢｍａｘ）
ＩＳ（４２５−４５０）  ≧２５％（ＩＳ（４００−５００）  ）
［式中、λＢｍａｘは、青感性層の最大青感度の波長であり；
ＳλＢｍａｘは、λＢｍａｘでの感度であり；
Ｓ｛４００−（  λＢｍａｘ−１５）、（λＢｍａｘ＋１５）−５００｝は、λＢｍａｘの±１５の範囲を除いた４００〜５００ｎｍ範囲内の任意の感度であり（例えば、λＢｍａｘ＝４３５ｎｍの場合、この範囲は４００〜４２０ｎｍと４５０〜５００ｎｍとなる）；
ＩＳ（４２５−４５０）  およびＩＳ（４００−５００）  は上記規定のものである］
本発明のカラー要素（特に、カラーネガティブ要素）は、種々の赤および緑分光感光性プロフィールを有することができる。しかし、６００〜６６０ｎｍの間で最大赤感度を有するのが好ましい。前述の範囲内で、６００〜６４０ｎｍの間もしくは６４０〜６６０ｎｍの間にある最大赤感度を用いることができる。この要素の赤感性記録の赤感度が、６００〜６４０ｎｍの間であるのが好ましい。６００〜６４０ｎｍの範囲を用いて、この要素に人間の目の感度により似た赤感度を与えて蛍光灯の放射スペクトルにより適合するようにする。要素の緑感性記録に関しては、５３０〜５７０ｎｍの間で最大感度を持つのが好ましい。
【００１７】
好ましくは、前記青感性層はＳ４８５  ≦３０％（ＳＢｍａｘ）であるような、波長４８５ｎｍでの青感度（Ｓ４８５  ）を有する。より好ましくは、Ｓ４８５  ≦２０％（ＳＢｍａｘ）であろう。Ｓｍａｘ（４２６−４４４ｎｍ）に関しては、これは７５％Ｓｍａｘ（４００−５００ｎｍ）以上、もしくは更に８５％Ｓｍａｘ（４００−５００ｎｍ）以上、となることができるであろう。同様に、ＩＳ（４２５−４５０）  は、３５％ＩＳ（４００−５００）  以上、または更にＩＳ（４００−５００）  の４５％以上もしくは５０％以上となることができるであろう。上記のように、λＢｍａｘは４２６〜４４４ｎｍであるが、λＢｍａｘは４３０〜４４０ｎｍもしくは更に４３２〜４３８ｎｍ（もしくは更に４３３〜４３７ｎｍ）となることができるであろう。
【００１８】
また、Ｓ｛４００−（  λＢｍａｘ−１５）、（λＢｍａｘ＋１５）−５００｝は５５％（Ｓλｍａｘ  ）よりも小さく、または更にＳλｍａｘ  の４５％もしくは３５％よりも小さくなることができるであろう。ＩＳ（４２５−４５０）  に関しては、３５％（ＩＳ（４００−５００）  ）  以上、または更にＩＳ（４００−５００）  の４５％もしくは５５％以上となることができるであろう。本明細書では、要素の特定の、乳剤、層もしくは記録の感度パラメータに関しては、これらはその要素で測定された感度を意味すると理解されるであろう。
【００１９】
本明細書では、任意の波長範囲で積分した分光感度を、その領域の感度（等分目盛り上）の積分という。特に、任意の波長範囲での積分分光感度（以下、「ＩＳＳ」という）を、つぎのように定義する：
ＩＳＳ＝∫ＳＳ（λ）・ｄλ
（式中、「ＳＳ」は、分光感度であり、目的の波長範囲に渡って積分を行う）
この積分を適当な装置もしくは他の測定法により実施することができる。目的の任意の波長範囲に渡って積分した分光感度を得る簡単な方法は、先ず、均一重量の紙の上に波長に対して線状の分光感度をプロットし、目的の範囲をカットしてその重さを計り、その重量を他の範囲の重量と比較して、その他の範囲に対するある範囲の積分した分光感度の百分率を得る。
【００２０】
青感性層に用いられるハロゲン化銀乳剤に関しては、平板状粒子乳剤が好ましく、存在する全ハロゲン化物の塩化物が１０％未満、そして沃化物が１０％未満（より好ましくは塩化物が６％未満、沃化物が６％未満）である、臭沃化銀乳剤がさらに好ましい。平板状粒子乳剤が臭沃化銀となることが好ましい。本明細書において特に示さない場合、全てのパーセンテージはモルによる。
【００２１】
本発明のカラーネガティブは、通常、一つ以上の青感性層からなる青記録を有する。この場合、全ての各青感性層は一緒になって本発明の目的の単一層であると考えることができる。即ち、一層以上の感光性層がある場合、そして一緒になると考えられる場合、それ等は本発明の制約に適合するべきである。
焼付けプロセスに関しては、典型的に、自動プリンターは、基準ネガティブと比較した被写体ネガティブの色飽和度の差（Ｄ’）に基づいて、赤露光量（Ｅｒ）、緑露光量（Ｅｇ）、もしくは青露光量（Ｅｂ）を調節する（これは、所望されるようにいずれか二つもしくは三つ全ての調節を含む）。本発明のフィルムをプリントすることができる典型的な自動プリンターには、（１）カラー補正無し；（２）５０％もしくは他のパーセンテージのカラー補正；もしくは（３）色相依存カラー補正の、プリンターアルゴリズム設定を有する上記のものが含まれる。これらの三種類のタイプのカラー補正をより詳しく次に記載する。
【００２２】
（１）カラー補正なし
プリンターは、指定ネガティブ（即ち、基準ネガティブ）に対するネガティブ全体の濃度を査定する。このプリンターは、Ｒ、Ｇ、およびＢ露光量（「Ｒ」、「Ｇ」および「Ｂ」は、それぞれ、赤、緑および青である）を変えて、指定のネガティブの濃度からの平均ネガティブ濃度の偏差を補償するが、指定ネガティブに対する新しいネガティブ露光量のＲ、Ｇ、およびＢ露光量の比は、同じである（赤比＝緑比＝青比、Ｒ’／Ｒ＝Ｇ’／Ｇ＝Ｂ’／Ｂ；Ｒ’、Ｇ’およびＢ’は、プリント時に基準ネガティブに与える露光量を表わし、Ｒ、ＧおよびＢは、被写体ネガティブに与える露光量を表わす）。
【００２３】
（２）５０％（もしくは１００％よりかなり少ないパーセント、通常、（常にではないが）７５％より少ない）カラー補正
プリンターは、正常な指定ネガティブに対するネガティブ全体の濃度を査定し、指定ネガティブに対する新しいネガティブのＲ、Ｇ、およびＢ露光時間比を決定する。そしてこれらの露光時間を、カラー補正を与えるように調節する。指定ネガティブに対する新しいネガティブの色飽和度を計算することにより、色補正を決定する。ネガティブの色飽和度を査定するのに用いられる一つの方法は、上記参照の文献において、Ｅ．  Ｇｏｌｌ  によって記載されている。平均のＲ、Ｇ、およびＢフィルム濃度を、プリンターにより決定し、指定ネガティブのものと比較する。濃度差を、前記文献の９５ページに記載されるように計算する。その文献の９７ページに記載されるように、これらの濃度差に、Ｔ−スペース変換マトリクス（Ｔ−ｓｐｅｃｅ  ｃｏｎｖｅｒｓｉｏｎ  ｍａｔｒｉｘ  ）を応用する。最後にフィルム飽和度を、同文献の９９ページに記載されるようにそれらのパラメータから計算する。ネガティブの飽和度を決定した後、中性補正のみに必要なものに対して、Ｒ、Ｇ、およびＢ露光量を調節することによりフィルム飽和度の５０％を、プリンターが補正する。実際のＲ、Ｇ、およびＢ露光量の調節は、ネガティブの色相を補償する方法では、フィルム飽和度の値およびフィルム飽和度の色相（Ｇｏｌｌ文献の９９ページに記載）を用いて達成する（例えば、フィルムがマゼンタバイアスを有すると、緑露光量を増加し、赤および青露光量を減らして、プリント時のネガティブの色飽和度の５０％を除く）。
【００２４】
（３）色相依存カラー補正
この種のアルゴリズムを用いるプリンターは、一定のパーセント補正プリンタが行うように、フィルムの色相および飽和度が計算されるまで正確に続行する。そして、このプリンターは、指定ネガティブに対するフィルムカラーバイアスの色相、およびそのフィルムカラーバイアスの飽和度レベルに由来する色相に依存して補正を行う。この適応性のあるアルゴリズムでは、プリンターは、最も効果的に小さなフィルムカラーバイアスを補正し、フィルムの色飽和度が増すに従って、次第により小さい程度に補正する。補正の量は、プリンターカラースペース（しばしば、「Ｔ−スペース」という）限界により決定される。フィルムの色飽和度が限界よりも大きい場合、カラー補正は行わない。デイライト照明の日暮れおよび北側のスカイライト等の典型的な光源により導入されるフィルムカラーバイアスを、プリンターが大きく補正を行うことができる方法では、限界から中心中性点までの距離は、フィルムのカラーバイアス色相に従って変わる。この種のアルゴリズムは、上記Ｅ．  Ｇｏｌｌ  の文献に詳細に記載されている。
【００２５】
本発明の要素の青感性層は、好ましくは、４３０〜４４０ｎｍ（もしくは更に４３３〜４３７ｎｍ）の間にλＢｍａｘを有する。更に、本発明の要素の青感性層は４５０〜５００ｎｍの範囲にも実質的な感度を有することができ、前述の範囲において分光増感色素により増感されることができる。実際、４５０〜５００ｎｍ範囲での実質的な感度は、いくつかのライティング条件下で青スピードが増加した青感性層を与えるであろう。特に、本発明の青感性層は、
４００〜５００ｎｍの間の層の最大感度の波長（λＢｍａｘ）、４８５ｎｍでの感度（Ｓ４８５  ）、４１０ｎｍでの感度（Ｓ４１０  ）、およびλＢｍａｘでの感度（ＳＢｍａｘ）を以下に規定するように増感されている、８０％未満の塩化銀および少なくとも８の平板状度を有する粒子を含むハロゲン化銀平板状粒子乳剤層となることができる：
４３０ｎｍ≦λＢｍａｘ≦４４０ｎｍ、もしくは
４５０ｎｍ≦λＢｍａｘ≦４８０ｎｍ、そして
Ｓ４８５  ≦５０％（ＳＢｍａｘ）
Ｓ４１０  ≦６０％（ＳＢｍａｘ）
そして、４３０〜４４０ｎｍの間の乳剤の最大感度（Ｓ（４３０−４４０）ｍａｘ）および４５０〜４８０ｎｍの間の最大感度（Ｓ（４５０−４８０）ｍａｘ）は次の関係：
９０％（Ｓ（４５０−４８０）ｍａｘ）≦Ｓ（４３０−４４０）ｍａｘ≦１１０％（Ｓ（４５０−４８０）ｍａｘ）を有する。
【００２６】
しかし、本発明の要素の青感性層は、既に定義した本発明の感度要件に適合しなければならない。上記規定のタイプのカラー要素は、通常、一層以上の青感性層からなる青記録を有する。典型的に、各青感性層は上記規定のタイプとなるであろう（即ち、上記規定のタイプおよび感度の青感性平板状粒子ハロゲン化銀乳剤層）。しかし、本発明は、上記規定の平板状粒子ハロゲン化銀乳剤以外の青感性層の可能性も包含することができる。
【００２７】
上記規定の青感性ハロゲン化銀平板状粒子乳剤の必要な分光感度特性は、公知の方法もしくは増感色素を用いて乳剤の固有の感度を調節することによって得ることができる。例えば、４２６〜４４４ｎｍ（より好ましくは、４３０〜４４０ｎｍもしくは更に４３３〜４３７ｎｍ）の間に乳剤のピーク感度を与える増感色素を用いることができる。４５０〜５００ｎｍでの感度も必要な場合は、その領域にピークを与える第二の適当な増感色素を用いることができる。使用するそれ等の色素の量を、４５０〜５００ｎｍに所望する感度与えて、同時に、既に規定した本発明の必要な感度プロフィールを維持する様に調節することができる。
【００２８】
乳剤の増感色素の分光吸収特性は、ある程度は、使用する特定の乳剤並びに同一の乳剤に存在する他の増感色素に依存するので、青感性平板状ハロゲン化銀乳剤を必要な特性の範囲内まで増感するのに選択される増感色素を、これらの特性に留意して選択しなければならない。更に、一種類以上の色素を用いる場合では、乳剤の分光増感プロフィールを、使用する色素だけでなく、添加順序、状況（ＶＡｇ）、乳剤表面等の因子を介して操作することができる。
【００２９】
これらの色素を、米国特許第５，２１７，８５９号（Ｂｏｅｔｔｃｈｅｒ  等）明細書およびそれに含まれる文献に概説されているタイプのプロセスを含む手段により調製されるような、溶液もしくは分散体として加えることができる。可能性のある適切な色素には、Ｔ．  Ｈ．  Ｊａｍｅｓ  の「Ｔｈｅ  ｔｈｅｏｒｙ  ｏｆ  ｔｈｅ  Ｐｈｏｔｏｇｒａｐｈｉｃ  Ｐｒｏｃｅｓｓ」第４版、Ｍａｃｍｉｌｌａｎ，  Ｎｅｗ  Ｙｏｒｋ，  １９７７，  ８章、およびＦ．  Ｍ．  Ｈａｍｅｒ  の「Ｃｙａｎｉｎｅ  Ｄｙｅｓ  ａｎｄ  Ｒｅｌａｔｅｄ  Ｃｏｍｐｏｕｎｄｓ」，  Ｗｉｌｅｙ，  Ｎｅｗ  Ｙｏｒｋ，  １９６４  、もしくは米国特許第４，４３９，５２０号明細書２６ページ６１行〜３４ページに記載されているタイプの色素が含まれる。
【００３０】
あるいは、異なる（例えば、４２６〜４４４ｎｍ範囲に感度ピークを与える「短波長色素」および４５０〜５００ｎｍ範囲に感度ピークを与える「長波長色素」）増感色素でそれぞれ増感されている所望するタイプの乳剤を配合することができ、最終的な配合物（本発明により所望されるような乳剤）は、必要な青分光感度プロフィールを有する。
【００３１】
多くの分光増感色素は、４２６〜４４４ｎｍ領域で、ハロゲン化銀（例えば、臭化銀もしくは臭沃化銀）平板状粒子の表面に集まることができる。いくつかの具体的な例を表Ｉに示す。また、Ｒｅｅｄ等の米国特許出願第０８／２２７，９３１号（１９９４年４  月１５日出願）明細書には、前述の短波長および長波長領域において有効に増感することができる色素が開示されている。４５０〜４８０ｎｍにおいて乳剤を増感する分光増感色素の例のいくつかを、表ＩＩに示す。
【００３２】
表Ｉ
ＹＤ−１：アンヒドロ−５−クロロ−５’−フェニル−３，３’−ビス（３−スルホプリピル）オキサチアシアニンヒドロキシド、トリエチルアンモニウム塩
ＹＤ−２：３，３’−ジメチル−６−アザナフト［１，２−ｄ］チアゾロシアニン  ｐ−トルエンスルホネート
ＹＤ−３：アンヒドロ−５，６−ジクロロ−３−エチル−１，１’−ビス（３−スルホプロピル）ベンズイミダゾロナフト［１，２−ｄ］オキサゾロシアニンヒドロキシド、カリウム塩
ＹＤ−３ａ：アンヒドロ−５，６−ジクロロ−１−エチル−５’−フェニル３，３’−ジ−（３−スルホプロピル）ベンズイミダゾロオキサシアニンヒドロキシド、カリウム塩
ＹＤ−４：アンヒドロ−５，５’−ジ（メチルチオ）−３，３’−ビス（３−スルホプリピル）オキサチアシアニンヒドロキシド、トリエチルアンモニウム塩ＹＤ−５：アンヒドロ−５’−メトキシ−３，３’−ビス（３−スルホプロピル）ナフト［２，３−ｄ］オキサゾロチアシアニンヒドロキシド、トリエチルアンモニウム塩
ＹＤ−６：５，５’，６，６’−テトラクロロ−１，１’，３，３’−テトラメチルベンゾイミダゾーロシアニン  ｐ−トルエンスルホネート
ＹＤ−７：５，５’，６，６’−テトラクロロ−１，１’−ジメチル−３，３’−メチレンベンゾイミダゾーロシアニン  沃化物
ＹＤ−８：アンヒドロ−３，３’−ビス（３−スルホプロピルナフト［１，２−ｄ］−チアゾロオキサシアニンヒドロキシド、トリエチルアンモニウム塩
ＹＤ−９：アンヒドロ−３，３’−ビス（３−スルホプロピル）−５−（２−チエニル）−オキサ−４’，５’−ジヒドロナフト［１，２−ｄ］−チアゾロシアニンヒドロキシド、トリエチルアンモニウム塩
表ＩＩ
ＹＤ−１０：アンヒドロ−５，５’−ジクロロ−３−エチル−３’−（３−スルホプロピル）チアシアニンヒドロキシド
ＹＤ−１１：アンヒドロ−５クロロ−３’−エチル−３−（３−スルホプロピル）ナフト［１，２−ｄ］チアゾロチアシアニンヒドロキシド
ＹＤ−１２：アンヒドロ−５，５’−ジ（メチルチオ）−３，３’−ビス（３−スルホプロピル）チアシアニンヒドロキシド、トリエチルアンモニウム塩
ＹＤ−１３：アンヒドロ−１’−エチル−３−（３−スルホプロピル）ナフト［１，２−ｄ］チアゾロチアシアニンヒドロキシド
ＹＤ−１４：アンヒドロ−５−クロロ−３，３’−ビス（３−スルホプロピル）チアシアニンヒドロキシド、トリエチルアンモニウム塩
ＹＤ−１５：アンヒドロ−３−（３−カルボキシプロピル）−５，５’−ジクロロ−３’−エチルチアシアニンヒドロキシド
ＹＤ−１６：アンヒドロ−５’−メチルチオ−１，３’−ビス（３−スルホプロピル）ナフト［１，２−ｄ］チアゾロチアシアニンヒドロキシド、トリエチルアミン塩
ＹＤ−１７：アンヒドロ−５−クロロ−３’−エチル−３−（４−スルホブチル）チアシアニンヒドロキシド
ＹＤ−１８：アンヒドロ−５，５’−ジフェニル−３，３’−ビス（３−スルホプロピル）−チアシアニンヒドロキシド、トリエチルアンモニウム塩
ＹＤ−１９：アンヒドロ−１，３’−ビス（３−スルホプロピル）ナフト［１，２−ｄ］チアゾロチアシアニンヒドロキシド、トリエチルアンモニウム塩
ＹＤ−２０：アンヒドロ−５，５’−ジメトキシ−３，３’−ビス（３−スルホプロピル）−チアシアニンヒドロキシド  ナトリウム塩
ＹＤ−２１：アンヒドロ−３−（２−カルボキシ−２−スルホエチル）−３’−エチル−５−メトキシチアシアニン  ヒドロキシド、カリウム塩
ＹＤ−２２：アンヒドロ−１−エチル−３’−（２−ホスホンエチル）ナフト［１，２−ｄ］チアゾロチアシアニン  ヒドロキシド
ＹＤ−２３：アンヒドロ−３−エチル−５’−メトキシ−５−メチルチオ−３’−（３−スルホプロピル）チアシアニン  ヒドロキシド
ＹＤ−２４：アンヒドロ−５−フェニル−３，３’−ビス（３−スルホプロピル）−４’，５’ジヒドロナフト［１，２−ｄ］チアゾロチアシアニン  ヒドロキシド、トリエチルアミン塩
ＹＤ−２５：アンヒドロ−３−エチル−５，５’−ジメトキシ−３’−（３−スルホプロピル）チアシアニン  ヒドロキシド
ＹＤ−２６：アンヒドロ−５，５’−ジクロロ−３，３’−ビス（３−スルホプロピル）チアシアニン  ヒドロキシド、トリエチルアンモニウム塩
既に上記したように、カラー写真要素は、スペクトルの三つの主要領域のそれぞれに感度を有する色素画像生成ユニットを有する。それぞれのユニット（時に、「記録」という）は、スペクトル（例えば、青光）の所定の領域に感度を有する一つ以上の層となることができる。この要素のユニット（画像生成ユニットの層を含む）を、当該技術分野で知られているように、種々の順序で配列することができるが、上記の順序（先ず、透明支持体上に赤感性、次に緑感性そして青感性）が好ましい。好ましくはないが、スペクトルの三つの主要領域のそれぞれに対して感度を有する乳剤を、単一セグメント層として配置することができる。
【００３３】
この要素は、フィルター層、中間層、上塗り層、下引き層、ハレーション防止層等の追加の層を含むことができる。これらの全ての層を、不透明な（例えば、ペーパー）もしくはより一般的には透明な支持体に塗布することができる。また、本発明の写真要素は、リサーチディスクロージャー、アイテム３４３９０  、１９９２年１１月、に記載される磁気記録材料、もしくは米国特許第４，２７９，９４５号および同４，３０２，５２３号各明細書に記載される、透明支持体の裏面に磁気粒子を含有するような透明磁気記録層も有効に含むことができる。リサーチディスクロージャーは、英国ハンプシャー州Ｐ０１０  ７ＤＱ  エムスワース  １２ａノースストリートダッドレーアネックスにあるＫｅｎｎｅｔｈ  Ｍａｓｏｎ  Ｐｕｂｌｉｃａｔｉｏｎｓ，  Ｌｔｄ．により発行されている。一般的に本発明の要素は、５〜３０μｍの合計厚（支持体を除く）を有する。
本発明の要素に使用するのに適当な材料についての以下の考察については、リサーチディスクロージャー、１９８９年１２月アイテム３０８１１９（以下、「リサーチディスクロージャーＩ」と称する）を参照されたい。以下で言及するセクションは、リサーチディスクロージャーＩのセクションである。
【００３４】
本発明の要素で用いられるハロゲン化銀乳剤は、表面感受性乳剤もしくは未カブリ内部潜像形成乳剤等のネガティブ型となる。適切な乳剤およびそれらの調製並びに化学増感および分光増感方法については、セクションＩ〜ＩＶに記載されている。カラー材料および現像改質剤は、セクションＶおよびＸＸＩに記載されている。本発明の要素に使用できるベヒクルは、セクションＩＸに記載されており、カブリ防止剤、安定化剤、光吸収剤および光散乱剤、硬膜剤、塗布助剤、可塑剤、滑剤並びに艶消剤等の種々の添加剤は、例えば、セクションＶ、ＶＩ、ＶＩＩＩ、Ｘ、ＸＩ、ＸＩＩおよびＸＶＩに記載されている。製造方法はセクションＸＩＶおよびＸＶに記載され、他の層および支持体はセクションＸＩＩＩおよびＸＶＩＩに記載され、処理方法と処理剤はセクションＸＩＸおよびＸＸに記載され、露光の別法はセクションＸＶＩＩＩに記載されている。
【００３５】
また、本発明の写真要素は、欧州特許第２１３．４９０号；特開昭第５８−１７２６４７号；米国特許第２，９８３，６０８号；ドイツ国出願ＤＥ２，７０６，１１７Ｃ号；英国特許第１，５３０，２７２号；特開平１−１３９３５号；米国特許第４，０７０，１９１号およびドイツ国出願ＤＥ２，６４３，９６５号各明細書に記載されているようなカラードカプラー（例えば、インターレイヤー補正のレベルを調節するため）およびマスキングカプラーを使用することもできる。マスキングカプラーは、シフトもしくははブロック型でもよい。
【００３６】
また、この写真要素は、漂白もしくは定着の処理工程を加速したり変更して画像の品質を向上させる物質を含有することもできる。欧州特許第１９３，３８９号；同３０１，４７７号；米国特許第４，１６３，６６９号；同４，８６５，９５６号；および同４，９２３，７８４号各明細書に記載の漂白促進剤は、特に有用である。また、現像促進剤又はそれらの前駆体（英国特許第２，０９７，１４０号；同２，１３１，１８８号各明細書）、電子移動剤（米国特許第４，８５９，５７８号；同４，９１２，０２５号各明細書）；ヒドロキノン類、アミノフェノール類、アミン類、没食子酸の誘導体等のカブリ防止剤および混色防止剤；カテコール；アスコルビン酸；ヒドラジド類；スルホンアミドフェノール類；並びに無呈色カプラーも使用できる。
【００３７】
また、この要素は、コロイド状銀ゾル、又は水中油滴型分散物、ラテックス分散物もしくは固体粒子分散物の形態でイエローおよび／もしくはマゼンタフィルター色素を含んでなるフィルター色素層を含むこともできる。さらに、それらは、「スミア（ｓｍｅａｒｉｎｇ）」カプラー（例えば、米国特許第４，３６６，２３７号；欧州特許第９６，５７０号；米国特許第４，４２０，５５６号；および米国特許第４，５４３，３２３号各明細書に記載されているようなもの）とともに使用できる。また、カプラー類は、例えば、特願昭６１−２５８２４９号もしくは米国特許第５，０１９，４９２号各明細書に記載されているような保護された形態でブロック又は塗布することができる。
【００３８】
写真要素は、さらに「現像抑制剤放出型」化合物（ＤＩＲ）等の他の画像改良化合物を含有することができる。本発明の写真要素に有用なＤＩＲは当該技術分野で公知であり、その例は以下の特許文書に記載されている。すなわち米国特許第３，１３７，５７８号、同３，１４８，０２２号、同３，１４８，０６２号、同３，２２７，５５４号、同３，３８４，６５７号、同３，３７９，５２９号、同３，６１５，５０６号、同３，６１７，２９１号、同３，６２０，７４６号、同３，７０１，７８３号、同３，７３３，２０１号、同４，０４９，４５５号、同４，０９５，９８４号、同４，１２６，４５９号、同４，１４９，８８６号、同４，１５０，２２８号、同４，２１１，５６２号、同４，２４８，９６２号、同４，２５９，４３７号、同４，３６２，８７８号、同４，４０９，３２３号、同４，４７７，５６３号、同４，７８２，０１２号、同４，９６２，０１８号、同４，５００，６３４号、同４，５７９，８１６号、同４，６０７，００４号、同４，６１８，５７１号、同４，６７８，７３９号、同４，７４６，６００号、同４，７４６，６０１号、同４，７９１，０４９号、同４，８５７，４４７号、同４，８６５，９５９号、同４，８８０，３４２号、同４，８８６，７３６号、同４，９３７，１７９号、同４，９４６，７６７号、同４，９４８，７１６号、同４，９５２，４８５号、同４，９５６，２６９号、同４，９５９，２９９号、同４，９６６，８３５号、および同４，９８５，３３６号；並びに英国特許公報第１，５６０，２４０号、同２，００７，６６２号、同２，０３２，９１４号、同２，０９９，１６７号；ドイツ国特許公報第２，８４２，０６３号、同２，９３７，１２７号、同３，６３６，８２４号、同３，６４４，４１６号；ならびに次の欧州特許第２７２，５７３号、同３３５，３１９号、同３３６，４１１号、同３４６，８９９号、同３６２，８７０号、同３６５，２５２号、同３６５，３４６号、同３７３，３８２号、同３７６，２１２号、同３７７，４６３号、同３７８，２３６号、同３８４，６７０号、同３９６，４８６号、同４０１，６１２号および同４０１，６１３号である。
【００３９】
またＤＩＲ化合物は、Ｐｈｏｔｏｇｒａｐｈｉｃ  Ｓｃｉｅｎｃｅ  ａｎｄ  Ｅｎｇｉｎｅｅｒｉｎｇ，  １３巻、１７４  頁、１９６９年に記載のＣ．  Ｒ．  Ｂａｒｒ，  Ｊ．  Ｒ．  Ｔｈｉｒｔｌｅ  およびＰ．  Ｗ．  Ｖｉｔｔｕｍの論文  ”Ｄｅｖｅｌｏｐｅｒ−Ｉｎｈｉｂｉｔｏｒ−Ｒｅｌｅａｓｉｎｇ  （ＤＩＲ）  Ｃｏｕｐｌｅｒｓ  ｆｏｒ  ｃｏｌｏｒ  Ｐｈｏｔｇｒａｐｈｙ”にも開示されている。
本発明の要素を形成するのに使用される乳剤および物質は、米国特許第４，９１７，９９４号明細書に記載されているようなｐＨ調節支持体上に、エポキシ溶媒（欧州特許第１６４，９６１号明細書）とともにか；追加の安定化剤（例えば、米国特許第４，３４６，１６５号；同４，５４０，６５３号および同４，９０６，５５９号各明細書に記載されているようなもの）とともにか；カルシウム等の多価カチオンに対する感受性を減少させるために米国特許第４，９９４，３５９号明細書に記載されているようなバラスト化キレート化剤とともにか；米国特許第５，０６８，１７１号および同５，０９６，８０５号各明細書に記載されているような汚染減少化合物とともに塗布できる。
【００４０】
本発明の写真要素に有用な他の化合物は、特開昭５８−０９９５９号；同５８−６２５８６号；特開平０２−０７２６２９号；同０２−０７２６３０号；同０２−０７２６３２号；同０２−０７２６３３号；同０２−０７２６３４号；同０２−０７７８２２号；同０２−０７８２２９号；同０２−０７８２３０号；同０２−０７９３３６号；同０２−０７９３３８号；同０２−０７９６９０号；同０２−０７９６９１号；同０２−０８０４８７号；同０２−０８０４８９号；同０２−０８０４９０号；同０２−０８０４９１号；同０２−０８０４９２号；同０２−０８０４９４号；同０２−０８５９２８号；同０２−０８６６６９号；同０２−０８６６７０号；同０２−０８７３６１号；同０２−０８７３６２号；同０２−０８７３６３号；同０２−０８７３６４号；同０２−０８８０９６号；同０２−０８８０９７号；同０２−０９３６６２号；同０２−０９３６６３号；同０２−０９３６６４号；同０２−０９３６６５号；同０２−０９３６６６号；同０２−０９３６６８号；同０２−０９４０５５号；同０２−０９４０５６号；同０２−１０１９３７号；同０２−１０３４０９号；同０２−１５１５７７号の各明細書に開示されている。
【００４１】
本発明の要素の感光性層は、沃臭化銀（全ての層で好ましい）、臭化銀、塩化銀、塩臭化銀、塩沃臭化銀等の適切なハロゲン化銀のいずれも用いることができる。ハロゲン化銀粒子の種類には、好ましくは多形態、立方、八面体もしくは平板状が含まれる。しかし、既に述べたように、特に好ましい青感性層は、ハロゲン化銀として既に説明したタイプの平板状粒子乳剤を用いる。
【００４２】
本発明に必要とされるような青感性層の臭沃化銀平板状粒子乳剤中の沃化物含有率の範囲は、０．１％〜９％、好ましくは０．２％〜８％、最も好ましくは０．５〜６％となることができる。ハロゲン化銀の粒子サイズは、写真組成物において有用であるとして知られているいずれの分布を有することもでき、多分散もしくは単分散のいずれであっても良い。青感性層のハロゲン化銀として、本発明で特に有用かつ好ましいものは、平板状粒子ハロゲン化銀である。
【００４３】
前記乳剤は、非平板上粒子乳剤もしくは平板状粒子乳剤のいずれにもなることができ、平板状粒子は残りの粒子面よりそれぞれ明かに大きい二つの平行主面を有するものであり、前記の平板状粒子乳剤は平板状粒子が総粒子投影面積の少なくとも３０％、より典型的には少なくとも５０％、好ましくは７０％を越え、最適には９０％より多くを占める乳剤である。平板状粒子は、総粒子投影面積の実質的に全部（９７％を越える）を占めることができる。前記平板状粒子乳剤は、高アスペクト比平板状粒子乳剤、即ち、ＥＣＤ／ｔ＞８である乳剤（ＥＣＤは粒子投影面積と等しい面積を持つ円の直径であり、ｔは平板状粒子の厚さである）；中アスペクト比平板状粒子乳剤、即ち、ＥＣＤ／ｔ＝５〜８；低アスペクト比平板状粒子乳剤、即ち、ＥＣＤ／ｔ＝２〜５と、なることができる。この乳剤は、典型的に、高平板状度（Ｔ）（Ｔ＝ＥＣＤ／ｔ２  である）を示す。即ち、Ｔ＞２５である（ＥＣＤおよびｔは、両方ともμｍで測定する）。この平板状度は、更に４０を越え、または１００もしくは１０００を越えることができる。前記青感性層の平板状ハロゲン化銀乳剤は、好ましくは２５〜４０００、より好ましくは１００〜１５００の平板状度を有する。
【００４４】
この平板状粒子は、前記平板状粒子乳剤の目的とする平均アスペクト比および／もしくは平均平板状度を達成するのに適合するいずれの厚さにもなることができる。投影面積の要件を満足する平板状粒子は、０．３μｍより薄い厚さを有するものであるのが好ましく、特に薄型（＜０．２μｍ）平板状粒子が好ましく、体積に対する最大の粒子表面積比のためには、極薄型（＜０．０７μｍ）も考えられる。青スピードのために沃ハロゲン化物平板状粒子の固有の青吸収に頼る場合は、より厚い平板状粒子、典型的には、最大０．５μｍの厚さが考えられる。
【００４５】
高沃化物平板状粒子乳剤は、Ｈｏｕｓｅ  の米国特許第４，４９０，４５８号明細書、Ｍａｓｋａｓｋｙの同４，４５９，３５３号明細書およびＹａｇｉ等の欧州特許第０４１０４１０号明細に説明されている。
面心立方（岩塩型）結晶格子構造を形成するハロゲン化銀から形成される平板状粒子は、｛１００｝もしくは｛１１１｝主面のいずれも有することができる。｛１１１｝主面平板状粒子を持つ乳剤（粒子分散度、ハロゲン化物分布、双晶面間隔、エッジ構造および粒子転移並びに吸着される｛１１１｝粒子面安定剤、をコントロールしたものを含む）は、Ｗｅｙ  の米国特許第４，３９９，２１５号、Ｍａｓｋａｓｋｙの米国特許第４，４００，４６３号、同４，６８４，６０７号、同４，７１３，３２０号、同４，７１３，３２３号、同５，０６１，６１７号、同５，１７８，９９７号、同５，１７８，９９８号、同５，１８３，７３２号、同５，１８５，２３９号、同５，２１７，８５８号、および同５，２２１，６０２号、Ｗｅｙ  等の米国特許第４，４１４，３０６号、Ｄａｕｂｅｎｄｉｅｋ等の米国特許第４，４１４，３１０号、同４，６７２，０２７号、同４，６９３，９６４号および同４，９１４，０１４号、Ａｂｂｏｔｔ等の米国特許第４，４２５，４２６号、Ｓｏｌｂｅｒｇ  等の米国特許第４，４３３，０４８号、Ｗｉｌｇｕｓ等の米国特許第４，４３４，２２６号、Ｋｏｆｒｏｎ等の米国特許第４，４３９，５２０号、Ｓｕｇｉｍｏｔｏ等の米国特許第４，６６５，０１２号、Ｙａｇｉ等の米国特許第４，６８６，１７６号、Ｈａｙａｓｈｉ  の米国特許第４，７４８，１０６号、Ｇｏｄａの米国特許第４，７７５，６１７号、Ｔａｋａｄａ等の米国特許第４，７８３，３９８号、Ｓａｉｔｏｕ等の米国特許第４，７９７，３５４号および同４，９７７，０７４号、Ｔａｆａｎｏの米国特許第４，８０１，５２３号、Ｔａｆａｎｏ等の米国特許第４，８０４，６２１号、Ｉｋｅｄａ  等の米国特許第４，８０６，４６１号および欧州特許第０４８５９４６号、Ｂａｎｄｏ  の米国特許第４，８３９，２６８号、Ｍａｋｉｎｏ等の米国特許第４，８５３，３２２号、Ｎｉｓｈｉｋａｗａ  等の米国特許第４，９５２，４９１号、Ｈｏｕｌｅ  等の米国特許第５，０３５，９９２号、Ｐｉｇｇｉｎ等の米国特許第５，０６１，６０９号および同５，０６１，６１６号、Ｎａｋａｍｕｒａ等の米国特許第５，０９６，８０６号、Ｂｅｌｌの米国特許第５，１３２，２０３号、Ｔｓａｕｒ  等の米国特許第５，１４７，７７１号、同５，１４７，７７２号、同５，１４７，７７３号、同５，１７１，６５９号、同５，２１０，０１３号および同５，２５２，４５３号、Ｊｏｎｅｓ  等の米国特許第５，１７６，９９１号、Ｍａｓｋａｓｋｙ等の米国特許第５，１７６，９９２号、Ｂｌａｃｋ  等の米国特許第５，２１９，７２０号、Ａｎｔｏｎｉａｄｅｓ等の米国特許第５，２５０，４０３号、Ｚｏｌａの欧州特許第０３６２６９９号、Ｍａｒｕｙａｍａ等の欧州特許第０４３１５８５号、Ｕｒａｂｅ  の欧州特許第０４６０６５６、Ｖｅｒｂｅｅｋ  の欧州特許第０４８１１３３号、同０５０３７００号および同０５３２８０１号、Ｊａｇａｎｎａｔｈａｎ  等の欧州特許第０５１５８９４号およびＳｋｅｉｙａ等の欧州特許第０５４７９１２号の各明細書に説明されている。｛１００｝主面平板状粒子を持つ乳剤は、Ｂｏｇｇの米国特許第４，０６３，９５１号、Ｍｉｇｎｏｔの米国特許第４，３８６，１５６号、Ｍａｓｋ��ｓｋｙの米国特許第５，２６４，３３７号および同５，２７５，９３０号、Ｂｒｕｓｔ  等の欧州特許第０５３４３９５号およびＳａｉｔｏｕ等の欧州特許０５６９９７１号各明細書に説明されている。
【００４６】
本発明で使用されるハロゲン化銀粒子を、リサーチディスクロージャーＩおよびＪａｍｅｓ  の  Ｔｈｅ  ｔｈｅｏｒｙ  ｏｆ  ｔｈｅ  Ｐｈｏｔｏｇｒａｐｈｉｃ  Ｐｒｏｃｅｓｓ  、もしくは沃臭化物平板状粒子の沈澱の場合は米国特許第４，４３９，５２０号明細書に記載されているような当該技術分野において公知の方法に従って製造できる。これらの方法には、アンモニア性乳剤製造、中性もしくは酸性乳剤製造および当該技術分野において公知の他の方法等の方法が含まれる。これらの方法では、一般的に保護コロイドの存在下で水溶性銀塩を水溶性ハロゲン化物塩と混合させ、沈澱によるハロゲン化銀の生成中に温度、ＰＡｇ、ｐＨ値等を適当な値に制御する。
【００４７】
本発明で使用されるハロゲン化銀は、貴金属（例えば、金）増感剤、中間カルコゲン（例えば、イオウ）増感剤、還元増感剤および当該技術分野において公知の他の増感剤で化学増感するのが有利である。ハロゲン化銀の化学増感に有用な化合物および手法は当該技術分野において公知であり、リサーチディスクロージャーＩおよびそこに引用されている文献に記載されている。
【００４８】
本発明の写真要素は、典型的には乳剤の形態でハロゲン化銀を提供する。写真乳剤は、一般的には写真要素の層の様な乳剤を塗布するためのベヒクルを含む。有用なベヒクルとしては、タンパク質等の天然物質、タンパク質誘導体、セルロース誘導体（例えば、セルロースエステル類）、ゼラチン（例えば、牛骨もしくは皮ゼラチン等のアルカリ処理ゼラチン、または豚皮ゼラチン等の酸処理ゼラチン）、ゼラチン誘導体（例えば、アセチル化ゼラチン、フタル化ゼラチン等）、並びにリサーチディスクロージャーＩに記載されているような他のベヒクルの両方が含まれる。また、ベヒクルもしくはベヒクル増量剤として有用なものは、親水性透水性コロイドである。これらは、リサーチディスクロージャーＩに記載されているようなポリ（ビニルアルコール）、ポリ（ビニルラクタム）、アクリルアミドポリマー、ポリビニルアセタール、アルキル並びにスルホアルキルアクリレートおよびメタクリレートのポリマー、加水分解性ポリビニルアセテート、ポリアミド、ポリビニルピリジン、メタクリルアミドコポリマー等の、合成ポリマー解こう剤、キャリヤー、および／もしくはバインダーを含む。ベヒクルは、写真乳剤に有用な量で乳剤中に存在することができる。また、この乳剤は、写真乳剤に有用であるとして知られているいずれの添加剤も含有することができる。これらの添加剤には、活性ゼラチン、イオウ、セレン、テルル、金、白金、パラジウム、イリジウム、オスミウム、レニウム、リン、もしくはこれらの組み合わせ等の化学増感剤が含まれる。化学増感は、一般的にリサーチディスクロージャー、１９７５年６  月、アイテム１３４５２  および米国特許第３，７７２，０３１号明細書に記載されているように、ｐＡｇレベル５〜１０、ｐＨレベル５〜８および温度３０〜８０°Ｃで実施される。
【００４９】
ハロゲン化銀は、リサーチディスクロージャーＩに記載されているような当該技術分野において公知のいずれか方法により増感色素で増感できる。もちろん、前記の青感性平板状ハロゲン化銀乳剤を、上記の要件に適合するように増感する。この色素もしくは色素（複数）を、乳剤を写真要素に塗布する前のいずれかの時期（例えば、化学増感中もしくは化学増感後）に、もしくは塗布と同時に、ハロゲン化銀粒子と親水性コロイドからなる乳剤に添加しても良い。しかし、平板状粒子乳剤では、この色素を化学増感時に添加するのが好ましい。色素／ハロゲン化銀乳剤を、塗布直前もしくは塗布に先立ち（例えば、２時間前）、カラー画像生成カプラーの分散物と混合することができる。
【００５０】
本発明の写真要素は、リサーチディスクロージャーＩ、セクションＸＶＩＩＩに記載されている技法を含むいずれかの公知の技法を用いて像様露光するのが好ましい。これには、典型的にはスペクトルの可視領域（特に、蛍光灯、即ち、一般的な蛍光光源からの光を含む）に対する像様露光が含まれる。
本発明の組成物を含む写真要素は、例えば、リサーチディスクロージャーＩ、もしくはＪａｍｅｓ  の  Ｔｈｅ  ｔｈｅｏｒｙ  ｏｆ  ｔｈｅ  Ｐｈｏｔｏｇｒａｐｈｉｃ  Ｐｒｏｃｅｓｓ  、第４  版、１９７７年に記載されているいくつかの周知の処理組成物のいずれかを用いたいくつかの周知の写真プロセスのいずれかを用いて処理できる。
【００５１】
好ましい発色現像主薬は、ｐ−フェニレンジアミン類である。とりわけ好ましい現像主薬は：
４−アミノ−Ｎ，Ｎ−ジエチルアニリン塩酸塩、
４−アミノ−３−メチル−Ｎ，Ｎ−ジエチルアニリン塩酸塩、
４−アミノ−３−メチル−Ｎ−エチル−Ｎ−（β−（メタンスルホンアミド）エチルアニリンセスキ硫酸塩水和物、
４−アミノ−３−メチル−Ｎ−エチル−Ｎ−（β−ヒドロキシエチル）アニリン硫酸塩、
４−アミノ−３−β−（メタンスルホンアミド）エチル−Ｎ，Ｎ−ジエチルアニリン塩酸塩および
４−アミノ−Ｎ−エチル−Ｎ−（２−メトキシエチル）−ｍ−トルイジン  ジ−ｐ−トルエンスルホン酸である。
【００５２】
現像後に、漂白定着により銀もしくはハロゲン化銀を除去し、水洗し、乾燥を行う。
前記処理に続いて、本発明のネガティブを用いて、好ましくは前記タイプの自動プリンターで、そして既に上記した方法でプリントを作成する。
【００５３】
【実施例】
本発明の青分光増感の結果としてのカラープリント品質の改良を、フルマルチカラーフィルムフォーマットにおいて説明することができる。例１〜例５と名付けたフィルムを次のように作成した。例１は、４７０ｎｍで単一のピーク青感度を有し、本発明の要件に適合する青層を持たない比較フィルムである。例２〜６は、本発明のフィルムである。
【００５４】
例１は、以下に記載するフォーマットを有する：
次の層を、記載した順に透明アセテートフィルム支持体上に塗布した。被覆量を１平方メートル当りの銀量（ｍｇ）で表わす乳剤の場合以外は、被覆量は、１平方メートル当りのミリグラム（ｍｇ／ｍ２  ）である。
0003595018.tif 000002
0003595018.tif 000003
0003595018.tif 000004
硬膜剤、ビス（ビニルスルホニルメチル）エーテルも添加して処理時の結合性を維持する。層１０に用いるイエロー色素（ＦＤ−４）の量を、低感度および高感度イエロー層の増感色素を変えたので、同じスピードを与えるように調節した。これらの乳剤の説明は次の通りである：
ＣＥ−１は、沃臭化物平板状粒子乳剤である。沃化物含有率の合計は１．５％であり、沃化物を沈澱の７０％で添加する。等価円直径（ＥＣＤ）で表わす平均粒子サイズは０．６１μｍ、平均厚は０．１１５μｍ、そして平均平板状度は、４６．１である。この乳剤は典型的な硫黄および金増感に従い、分光増感色素は１：９のモル比でＣＤ−１およびＣＤ−２である。
【００５５】
ＣＥ−２は、沃臭化物平板状粒子乳剤である。沃化物含有率の合計は４．１％であり、１．１％の沃化物を沈澱の７０％を通して添加し、３％を７０％時点で添加する。ＥＣＤで表わす平均粒子サイズは０．９４μｍ、平均厚は０．１１５μｍ、そして平均平板状度は７１．１である。この乳剤は典型的な硫黄および金増感に従い、分光増感色素は１：９のモル比でＣＤ−１およびＣＤ−２である。
【００５６】
ＣＥ−３は、沃臭化物平板状粒子乳剤である。沃化物含有率の合計は４．１％であり、１．１％の沃化物を沈澱の７０％を通して添加し、３％を７０％時点で添加する。ＥＣＤで表わす平均粒子サイズは１．２２μｍ、平均厚は０．１１８μｍ、そして平均平板状度は８７．６である。この乳剤は典型的な硫黄および金増感に従い、分光増感色素は１：９のモル比でＣＤ−１およびＣＤ−２である。
【００５７】
ＣＥ−４は、沃臭化物平板状粒子乳剤である。沃化物含有率の合計は４．１％であり、１．１％の沃化物を沈澱の７０％を通して添加し、３％を７０％時点で添加する。ＥＣＤで表わす平均粒子サイズは２．２５μｍ、平均厚は０．１２８μｍ、そして平均平板状度は１３７．３である。この乳剤は典型的な硫黄および金増感に従い、分光増感色素は１：９のモル比でＣＤ−１およびＣＤ−２である。
【００５８】
ＭＥ−１は、沃臭化物平板状粒子乳剤である。沃化物含有率の合計は１．５％であり、沃化物を沈澱の７０％で添加する。ＥＣＤで表わす平均粒子サイズは０．５４μｍ、平均厚は０．０８５μｍ、そして平均平板状度は、７４．７である。この乳剤は典型的な硫黄および金増感に従い、分光増感色素は１：４のモル比でＭＤ−１およびＭＤ−２である。
【００５９】
ＭＥ−２は、沃臭化物平板状粒子乳剤である。沃化物含有率の合計は４．１％であり、１．１％の沃化物を沈澱の７０％を通して添加し、３％を７０％時点で添加する。ＥＣＤで表わす平均粒子サイズは０．８７μｍ、平均厚は０．０９１μｍ、そして平均平板状度は１０５．１である。この乳剤は典型的な硫黄および金増感に従い、分光増感色素は１：４のモル比でＭＤ−１およびＭＤ−２である。
【００６０】
ＭＥ−３は、沃臭化物平板状粒子乳剤である。沃化物含有率の合計は４．１％であり、１．１％の沃化物を沈澱の７０％を通して添加し、３％を７０％時点で添加する。ＥＣＤで表わす平均粒子サイズは１．１６μｍ、平均厚は０．１１４μｍ、そして平均平板状度は８９．３である。この乳剤は典型的な硫黄および金増感に従い、分光増感色素は１：４のモル比でＭＤ−１およびＭＤ−２である。
【００６１】
ＭＥ−４は、沃臭化物平板状粒子乳剤である。沃化物含有率の合計は４．１％であり、１．１％の沃化物を沈澱の７０％を通して添加し、３％を７０％時点で添加する。ＥＣＤで表わす平均粒子サイズは１．３０μｍ、平均厚は０．１２７μｍ、そして平均平板状度は８０．６である。この乳剤は典型的な硫黄および金増感に従い、分光増感色素は１：４のモル比でＭＤ−１およびＭＤ−２である。
【００６２】
ＹＥ−１ｂ（４７０ｎｍ）は、沃臭化物平板状粒子乳剤である。沃化物含有率の合計は２．７％であり、この沃化物を作成の１７〜９５％で連続的に添加する。ＥＣＤで表わす平均粒子サイズは１．３８μｍ、平均厚は０．０４７μｍ、そして平均平板状度は６２５である。この乳剤を、米国特許出願第１６９，４７８号明細書（１９９３年１２月１６日出願）の比較例対照Ａに記載される手順に従って、２．２ミリモルのＹＤ−２６並びに硫黄および金で増感した。
【００６３】
ＹＥ−２ｂ（４７０ｎｍ）は、沃臭化物平板状粒子乳剤である。沃化物含有率の合計は２．７％であり、この沃化物を作成の１７〜９５％で連続的に添加する。ＥＣＤで表わす平均粒子サイズは２．２９μｍ、平均厚は０．０５９μｍ、そして平均平板状度は６５８である。この乳剤を、米国特許出願第１６９，４７８号明細書（１９９３年１２月１６日出願）の比較例対照Ａに記載される手順に従って、１．６ミリモルの増感ＹＤ−２６並びに硫黄および金で増感した。
【００６４】
この多層フォーマットのその他の成分は、次の通りであった：
ＣＤ−１：ベンゾオキサゾリウム、２−（２−（（５，６−ジメトキシ−３−（３−スルホプロピル）−２（３Ｈ）−ベンゾチアゾリリデン）メチル）−１−ブテニル）−５−フェニル−３−（３−スルホブチル）−、分子内塩、ナトリウム塩。
【００６５】
ＣＤ−２：アンヒドロ−５，５’−ジクロロ−９−エチル−３，３’−ビス（３−スルホプロピル）チアカルボシアニン  ヒドロキシド、イオン塩。
ＭＤ−１：アンヒドロ−６，６’−ジクロロ−１，１’−ジエチル−３，３’−ビス（３−スルホプロピル）−５，５’−ジトリフルオロメチルベンゾイミダゾーロ−カルボシアニン  ヒドロキシド、ナトリウム塩。
【００６６】
ＭＤ−２：アンヒドロ−５−クロロ−９−エチル−５’−フェニル−３’−（３−スルホブチル）−３−（３−スルホプロピル）オキサカルボシアニン  ヒドロキシド、ナトリウム塩。
ＵＶ−１：プロパンジニトリル、（３−（ジヘキシルアミノ）−２センプロペニリデン）−。
【００６７】
ＵＶ−２：２−プロペン酸、２−シアノ−３−（４−メトキシフェニル）−、プロピルエステル。
ＦＤ−１：ベンズアミド、３−（（（２，４−ビス（１，１−ジメチルプロピル）フェノキシ）アセチル）アミノ）−Ｎ−（４−（（４−（エチル（２−ヒドロキシエチル）アミノ）−２−メチルフェニル）イミノ）−４，５−ジヒドロ−５−オキソ−１−（２，４，６−トリクロロフェニル）−１Ｈ−ピラゾール−３−イル）−。
【００６８】
ＦＤ−２：２−ナフタレンカルボキシアミド、Ｎ−（４−（２，４−ビス（１，１−ジメチルプロピル）フェノキシ）ブチル）−４−（（４−（エチル（２−ヒドロキシエチル）アミノ）−２−メチルフェニル）イミノ）−１，４−ジヒドロ−１−オキソ−。
ＦＤ−３：ベンズアミド、３−（（（２，４−ビス（１，１−ジメチルプロピル）フェノキシ）−アセチル）アミノ）−Ｎ−（４−（（４−ジエチルアミノ）フェニルメチレン）−４，５−ジヒドロ−５−オキソ−１−（２，４，６−トリクロロフェニル）−１Ｈ−ピラゾール−３−イル）−。
【００６９】
ＦＤ−４：１Ｈ−ピラゾール−３−カルボン酸、４，５−ジヒドロ−５−オキソ−１−（４−スルホフェニル）−４−（（４−スルホフェニル）アゾ）−、三ナトリウム塩。
Ｃ−１：１，４−ベンゼンジオール、２，５−ビス（１，１，３，３−テトラメチルブチル）−。
【００７０】
Ｃ−２：ベンズアミド、３−（（（２，４−ビス（１，１−ジメチルプロピル）フェノキシ）アセチル）アミノ）−Ｎ−（４，５−ジヒドロ−４−（（４−メトキシフェニル）アゾ）−５−オキソ−１−（２，４，６−トリクロロフェニル）−１Ｈ−ピラゾール−３−イル）−。
Ｃ−３：ヘキサンアミド、２−（２，４−ビス（１，１−ジメチルプロピル）フェノキシ）−Ｎ−（４−（（（（４−シアノフェニル）アミノ）カルボニル）アミノ）−３−ヒドロキシフェニル）−。
【００７１】
Ｃ−４：２−ナフタレンカルボキシアミド、１−ヒドロキシ−４−（４−（（（１−（（４−メトキシフェニル）メチル）−１Ｈ−テトラゾール−５−イル）チオ）メチル）−２−ニトロフェノキシ）−Ｎ−（２−（テトラデシルオキシ）フェニル）−。
Ｃ−５：プロパン酸、３−（（３−（（（４−（２，４ビス（１，１−ジメチルプロピル）フェノキシ）ブチル）アミノ）カルボニル）−４−ヒドロキシ−１−ナフタレニル）チオ）−。
【００７２】
Ｃ−６：２，７−ナフタレンカルボキシアミド、１−ヒドロキシ−４−（４−（（（１−（（４−メトキシフェニル）メチル）−１Ｈ−テトラゾール−５−イル）チオ）メチル）−２−ニトロフェノキシ）−Ｎ−（２−（テトラデシルオキシ）フェニル）−。
Ｃ−７：テトラデカンアミド、Ｎ−（３−（（４−（（２−（２，４−ビス−（１，１−ジメチルプロピル）フェノキシ）−１−オキソブチル）アミノ）フェニル）チオ）−４，５−ジヒドロ−１−（２，４，６−トリクロロフェニル）−１Ｈ−ピラゾール−３−イル）アミノ）−４−クロロフェニル）−、ジピリジウム塩。
【００７３】
Ｃ−８：テトラデカンアミド、Ｎ−（４−クロロ−３−（（４−（（３，４−ジメトキシフェニル）アゾ）−４，５−ジヒドロ−５−オキソ−１−（２，４，６−トリクロロフェニル）−１Ｈ−ピラゾロ−３−イル）アミノ）フェニル）−２−（３−（１，１−ジメチルエチル）−４−ヒドロキシフェノキシ）−。
Ｃ−９：ベンゾトリアゾールカルボン酸、１（または２）−（２−（（２−クロロ−５−（（２−（ドデシルオキシ）−１−メチル−２−オキソエトキシ）カルボニル）フェニル）アミノ）−１−（（（２−クロロ−５−（（２−（ドデシルオキシ）−１−メチル−２−オキソエトキシ）カルボニル）フェニル）アミノ）カルボニル）−２−オキソエチル）−、フェニルエステル。
【００７４】
Ｃ−１０：ブタンアミド、２−（２，４−ビス（１，１−ジメチルプロピル）フェノキシ）−Ｎ−（４−（４，５−ジヒドロ−５−オキソ−４−（（１−フェニル−１Ｈ−テトラゾール−５−イル）チオ）−３−（１−ピロリジニル）−１Ｈ−ピラゾール−１−イル）フェニル）−。
Ｃ−１１：ベンゼンスルホンアミド、Ｎ，Ｎ’−（４−ヒドロキシ−１，３−フェニレン）ビス（４−（ドデシルオキシ）−。
【００７５】
Ｃ−１２：安息香酸、４−クロロ−３−（（２−（４−エトキシ−２，５−ジオキソ−３−（フェニルメチル）−１−イミダゾリジニル）−３−（４−メトキシフェニル）−１，３−ジオキソプロピル）アミノ）−、ドデシルエステル。
Ｃ−１３：安息香酸、４−クロロ−３−（（２−（４−エトキシ−２，５−ジオキソ−３−（フェニルメチル）−１−イミダゾリジニル）−４，４−ジメチル−１，３−ジオキソペンチル）アミノ）−、ドデシルエステル。
【００７６】
Ｃ−１４：１Ｈ−テトラゾール−１−酢酸、５−（２−（１−（（（２−クロロ−５−（（ヘキサデシルスルホニル））アミノ）フェニル）アミノ）カルボニル）−３，３−ジメチル−２−オキソブトキシ）−５−ニトロフェニル）メチル）エチルアミノ）カルボニル）チオ）−、プロピルエステル。
その他の例を次の通りに調製した：
例２は、ＹＥ−１ｂおよびＹＥ−２ｂの替りに、ＹＥ−３ｂおよびＹＥ−４ｂを用いた以外は、例１と同じである。
ＹＥ−３ｂ（４３７ｎｍ）を、ＹＥ−１ｂの場合と同じ乳剤から調製し、増感色素がＹＤ−３であること以外は同じ増感手順を用いる。
ＹＥ−４ｂ（４３７ｎｍ）を、ＹＥ−２ｂの場合と同じ乳剤から調製し、増感色素がＹＤ−３であること以外は同じ増感手順を用いる。
【００７７】
例３は、ＹＥ−１ｂおよびＹＥ−２ｂの替りに、ＹＥ−５ｂおよびＹＥ−６ｂを用いた以外は、例１と同じである。
ＹＥ−５ｂ（４３８、４６９ｎｍの二つ）を、ＹＥ−１ｂの場合と同じ乳剤から調製し、２．２ミリモルのＹＤ−１の替りに、この乳剤を１．１ミリモルのＹＤ−３および１．１ミリモルのＹＤ−２６で処理する以外は同じ増感手順を用いる。
ＹＥ−６ｂ（４３８、４６９ｎｍの二つ）を、ＹＥ−２ｂの場合と同じ乳剤から調製し、１．６ミリモルのＹＤ−２６の替りに、この乳剤を０．８ミリモルのＹＤ−３および０．８ミリモルのＹＤ−２６で処理する以外は同じ増感手順を用いる。
【００７８】
例４は、ＹＥ−１ｂおよびＹＥ−２ｂの替りに、ＹＥ−７ｂおよびＹＥ−８ｂを用いた以外は、例１と同じである。
ＹＥ−７ｂ（４４０ｎｍ）を、ＹＥ−１ｂの場合と同じ乳剤から調製し、増感色素がＹＤ−１であること以外は同じ増感手順を用いる。
ＹＥ−８ｂ（４４０ｎｍ）を、ＹＥ−２ｂの場合と同じ乳剤から調製し、増感色素がＹＤ−１であること以外は同じ増感手順を用いる。
【００７９】
例５は、ＹＥ−１ｂおよびＹＥ−２ｂの替りに、ＹＥ−９ｂおよびＹＥ−１０ｂを用いた以外は、例１と同じである。
ＹＥ−９ｂ（４２８ｎｍ）を、ＹＥ−１ｂの場合と同じ乳剤から調製し、増感色素がＹＤ−３ａであること以外は同じ増感手順を用いる。
ＹＥ−１０ｂ（４２８ｎｍ）を、ＹＥ−２ｂの場合と同じ乳剤から調製し、増感色素がＹＤ−３ａであること以外は同じ増感手順を用いる。
【００８０】
例６は、ＹＥ−１ｂの替りに５６０ｍｇ／ｍ２  のＹＥ−４ａを用い、そしてＹＥ−２ｂの替りに３１２ｍｇ／ｍ２  のＹＥ−４ａ、１０８ｍｇ／ｍ２  のＹＥ−２ａ、および１６１ｍｇ／ｍ２  のＹＥ−１ａを用いた以外は、例１と同じである。
測定した例１の青感性記録の分光感度プロフィールを図１に示す。同様に、例２〜６の青感性記録の分光感度プロフィールをそれぞれ図２〜６に示す。
【００８１】
いくつかの光源を用いて、前記６種類のフィルムでグレーの対象物を撮影した。前記光源には、温白色デラックス蛍光ライト、冷白色蛍光ライト、ウルトラルーメ（Ｕｌｔｒａｌｕｍｅ  ）（エコノミー蛍光）、水銀灯および模擬デイライト（ＨＭＩ）が含まれる。このフィルムを、標準Ｃ−４１薬品（Ｂｒｉｔｉｓｈ  Ｊｏｕｒｎａｌ  ｏｆ  Ｐｈｏｔｏｇｒａｐｈｙ  Ａｎｎｕａｌ，  １９７９，  ｐ．２０４に記載）で処理した。各露光済みネガティブの赤、緑および青濃度を測定した。そして、コダックＫＤＰＣ自動プリンターを用いて、このプリンターが模擬デイライト条件で露光したフィルムに設定されている場合の、各光源下で露光したそれぞれのネガティブのプリンター飽和度パラメータを計算した。即ち、模擬デイライト下でグレー対象物を撮影した例１のフィルムを、他のライティング条件下で前記グレー対象物を撮影した例１フィルムの基準ネガティブ（即ち、このネガティブの場合のＤ’を０に設定した）として用いた。  同じ様に、グレーフィルムフレームを撮影した例２のフィルムを、他のライティング条件下でグレー対象物を撮影した例２のフィルムの基準ネガティブとして役に立つ、模擬デイライト光源下で露光した。同じ手順を、例３〜６のフィルムの同様に続けた。例１〜６のフィルム間のガンマの変動を伴うプリンター飽和度結果が混成することを避けるために、上方／下方設定パラメータを用いるアルゴリズムのおいて、全てのフィルムのガンマを０．６５に補正した。
【００８２】
フィルムのピーク感度を下記表ＩＩＩ（二つの数字は、示した波長での二つのピークを示す）に要約する。また、表ＩＩＩは、総青分光感度（ＩＳ（４００−５００）  ）の比率として、４２５〜４５０ｎｍ間の積分した分光感度（ＩＳ（４２５−４５０）  ）を示す。例１の比較例以外は、この率は２５％を越えることに留意されたい。例１〜６のそれぞれのフィルムでは、最大赤感度は、６５２ｎｍにあり、最大緑感度は５４８ｎｍにある。それぞれのライティング条件下での各ネガティブのプリンター飽和度の値を、次のの表ＩＶに示す。全ての非デイライトライティング条件下での各ネガティブの飽和度値の平均を表ＩＶの「平均」の所に示すと共に、表ＩＩＩにも記載した。既に説明したように、模擬デイライト下で露光下フィルムを基準ネガティブとして用いた。異なるライティング条件下で露光した各フィルムの平均値を仕切線上の「平均」の所に記載した。
【００８３】
【表１】
0003595018.tif 000005
【００８４】
注：「ｄｂ」は二つのピークを表わし、「ｂｄ」は広域ピークを表わす。
【００８５】
【表２】
0003595018.tif 000006
【００８６】
注：ＷＷＤ：フィリップス温白色デラックス蛍光球
Ｕ３０：フィリップスウルトラルーメ３０蛍光球
ＣＷ：フィリップス冷白蛍光球
ＭＶ：水銀灯
増感して、４５０〜５００ｎｍの領域に実質的な青感度を追加的に与えた本発明の要素を説明するために、次の例７〜１０を調製した（例７〜９は比較例）。
【００８７】
例７および８は、次に記載する通常のフォーマットを有する。
次の層を、記載した順に透明アセテートフィルム支持体上に塗布した。量は、１平方メートルあたりのミリグラム（ｍｇ／ｍ２  ）である。
層１：ハレーション防止層
灰色銀                                              １５０．０
ゼラチン                                          １６１４．６
ＵＶ色素ＵＶ−１                                      ７５．３
ＵＶ色素ＵＶ−２                                      ３２．３
必要な金属イオン封鎖剤および汚染防止剤
層２：低感度赤感性乳剤層
シアン乳剤ＣＥ−１                                  ５３８．２
シアン乳剤ＣＥ−２                                  ４３０．４
ゼラチン                                          １４６０．１
カプラー−１                                        ４７８．８
カプラー−２                                          ６４．６
カプラー−３                                            ５．４
層３：中感度赤感性乳剤層
シアン乳剤ＣＥ−３                                  ９６８．８
ゼラチン                                          １３４５．０
カプラー−３                                          ４３．０４
カプラー−１                                        ３５５．１
カプラー−２                                          ２１．５
カプラー−４                                          １０．７
層４：高感度赤感性乳剤層
シアン乳剤ＣＥ−４                                  ８６１．１
ゼラチン                                            ９６８．８
カプラー−３                                          ４３．０
カプラー−１                                          ９６．８
カプラー−５                                          ４３．０
カプラー−４                                          １６．２
層５：中間層
ゼラチン                                            ８５０．８
酸化した発色現像主薬掃去剤ＯＤＳ                      ７５．３
必要な、汚染防止剤、界面活性剤およびカブリ防止剤
層６：低感度緑感性乳剤層
マゼンタ乳剤ＭＥ−２                                ４９５．０
ゼラチン                                          １１８４．０
カプラー−６                                        ３０１．３
カプラー−７                                          ７５．３
層７：中感度緑感性乳剤層
マゼンタ乳剤ＭＥ−３                                ９１４．９
ゼラチン                                          １１６２．５
カプラー−６                                        １４５．３
カプラー−７                                          ５３．８
カプラー−８                                          ２６．９
層８：高感度緑感性乳剤層
マゼンタ乳剤ＭＥ−４                                ７５３．５
ゼラチン                                            ９６８．４
カプラー−６                                          ６４．６
カプラー−９                                          １０．８
カプラー−７                                          ４３．０
層９：イエローフィルター層
ゼラチン                                            ８６０．８
酸化した発色現像主薬掃去剤ＯＤＳ                      ７５．３
イエローフィルター色素ＹＦＤ                        １６６．８
必要な、汚染防止剤、界面活性剤およびカブリ防止剤
層１０：低感度青感性乳剤層
イエロー乳剤ＹＥ−１                                １６１．５
イエロー乳剤ＹＥ−２                                １０７．６
イエロー乳剤ＹＥ−３                                ２６９．１
ゼラチン                                          ２２８０．１
カプラー−５                                        ６９９．７
カプラー−１０                                      ５９２．０
カプラー−１１                                      １１８．４
カプラー−２                                            ５．４
カプラー−８                                          ２１．５
層１１：高感度青感性乳剤層
イエロー乳剤ＹＥ−４                                ５５９．７
ゼラチン                                            ７５３．５
カプラー−５                                        １７８．７
カプラー−１０                                      １５１．８
カプラー−１１                                        ５７．０
カプラー−２                                            １．４
カプラー−８                                            ５．４
層１２：ＵＶ吸収層
ＵＶ色素ＵＶ−１                                    １０７．６
ＵＶ色素ＵＶ−２                                    １０７．３
ゼラチン                                            ６９９．７
リップマン臭化銀                                    ２１５．３
層１３：保護上塗り層
ゼラチン                                            ８８８．０
界面活性剤、滑剤、帯電防止剤、可溶性艶消剤
硬膜剤  ビス（ビニルスルホニルメチル）エーテルも添加する。
【００８８】
このフォーマットは、三重塗布したマゼンタ記録および三重塗布したシアン記録を示す。この結果を二重塗布した記録に対して説明することができる。あるいは、低感度マゼンタ層の上に高感度シアンを有する米国特許第４，１８４，８７６号（Ｅｅｌｅｓ  等）明細書に与えられる様な層順も役に立つであろう。この例の場合、矛盾のないＤ−ｌｏｇＥ曲線を達成すること（カプラーおよびレベルを変えることができる）が、重要である。それ等が必要な曲線形状を持つ限りは（即ち、その結果、全てのカラー記録が同じガンマの矛盾のないＤ−ｌｏｇＥ曲線を有する）、マゼンタ乳剤およびシアン乳剤もまた決定的でない。
【００８９】
また、シアン乳剤およびマゼンタ乳剤は、カラーフィルムにおいて普通に見られる分光感度を示さねばならない。例えば、最大緑分光感度は、５３０〜５７０ｎｍの範囲、最大赤分光感度は、５９０〜６７０ｎｍの範囲にある方が良い。赤記録アキュータンスが、マゼンタ記録で通常の乳剤を用いる場合よりも低下しないように、マゼンタ乳剤が平板状粒子乳剤であることが好ましい。
【００９０】
層１０および１１に示した物質および量により、マゼンタおよびシアン記録の濃度関係と一致する線状の特性曲線形状を生じて、バランスのとれたカラーフィルムを生成する。その他の適切ないずれの方法も、赤および緑感性記録を構成するのに用いることができる。
以下のこと以外は、例７と同じように例８を塗布した：
乳剤ＹＥ−１をＹＥ−１Ａで置き換えた。
【００９１】
乳剤ＹＥ−２をＹＥ−２Ａで置き換えた。
乳剤ＹＥ−３をＹＥ−３Ａで置き換えた。
乳剤ＹＥ−４をＹＥ−４Ａで置き換え、これを６９９．４ｍｇ／ｍ２  で用いた。  用いた分光増感色素がＹＤ−１およびＹＤ−２６をモル比１：１で用いた以外は、例８のイエロー乳剤は例７のものと確かに同じである。従って、例７および８のフィルム要素は、それらの青分光増感以外は同一である。
【００９２】
例７〜１０で用いた乳剤の説明を表Ｖに表わす。
【００９３】
【表３】
0003595018.tif 000007
【００９４】
乳剤の調製手順は良く知られている。例えば米国特許第４，４３９，５２０号もしくは同５，２７２，０４８号明細書を参照されたい。乳剤ＣＥ−１、ＭＥ−１、ＭＥ−２、ＹＥ−１、ＹＥ−１Ａ、ＹＥ−２およびＹＥ−２Ａの場合、沃化物を７０％の沈澱のときに添加する。乳剤ＹＥ−１ｂおよびＹＥ−２ｂは、沃化物を１７〜９５％の区間で添加する。例７〜１０の残りの乳剤は沈澱の７０％に渡って１．１％を加え、７０％の点で３％を加える沃化物ダンプを行う。全ての乳剤は、典型的な硫黄および金化学増感並びにそれぞれ増感色素を用いる分光増感を続ける。
【００９５】
ＣＤ−１：アンヒドロ−９−エチル−５，５’−ジメチル−３，３’−ビス（３−スルホプロピル）チアカルボシアニン  ヒドロキシド、トリエチルアミン塩。
ＣＤ−２：アンヒドロ−５，５’−ジクロロ−９−エチル−３，３’−ビス（３−スルホプロピル）チアカルボシアニン  ヒドロキシド、イオン塩。
【００９６】
ＣＤ−３：アンヒドロ−９−エチル−３−メチル−５’−フェニル−３’−（４−スルホブチル）チアカルボシアニン  ヒドロキシド。
ＭＤ−１：アンヒドロ−６，６’−ジクロロ−１，１’−ジエチル−３，３’−ビス（３−スルホプロピル）−５，５’−ジトリフルオロメチルベンゾイミダゾーロ−カルボシアニン  ヒドロキシド、ナトリウム塩。
【００９７】
ＭＤ−２：アンヒドロ−５−クロロ−９−エチル−５’−フェニル−３’−（３−スルホブチル）−３−（３−スルホプロピル）オキサカルボシアニン  ヒドロキシド、ナトリウム塩。
その他のフィルム組成物は、以下の通りである：
ＵＶ−１：３−（ジ−ｎ−ヘキシルアミノ）アリリデンマロノニトリル。
【００９８】
ＵＶ−２：２−プロペン酸、２−シアノ−３−（４−メトキシフェニル）−、プロピルエステル。
ＹＦＤ：１−ブタンスルホンアミド、Ｎ−（４−（４−シアノ−２−（２−フラニルメチレン）−２，５−ジヒドロ−５−オキソ−３−フラニル）フェニル）−。
【００９９】
カプラー−１：ヘキサンアミド、２−（２，４−ビス（１，１−ジメチルプロピル）フェノキシ）−Ｎ−（４−（（（（４−シアノフェニル）アミノ）カルボニル）アミノ）−３−ヒドロキシフェニル）−。
カプラー−２：プロパン酸、３−（（３−（（（４−（２，４ビス（１，１−ジメチルプロピル）フェノキシ）ブチル）アミノ）カルボニル）−４−ヒドロキシ−１−ナフタレニル）チオ）−。
【０１００】
カプラー−３：２−ナフタレンカルボキシアミド、１−ヒドロキシ−４−（４−（（（１−（（４−メトキシフェニル）メチル）−１Ｈ−テトラゾール−５−イル）チオ）メチル）−２−ニトロフェノキシ）−Ｎ−（２−（テトラデシルオキシ）フェニル）−。
カプラー−４：２，７−ナフタレンジスルホン酸、５−（アセチルアミノ）−３−（（４−（（３−（（（４−（２，４−ビス（１，１−ジメチルプロピル）フェノキシル）ブチル）アミノ）カルボニル）−４−ヒドロキシ−１−ナフタレニル）オキシ）フェニル）アゾ）−４−ヒドロキシ−、二ナトリウム塩。
【０１０１】
カプラー−５：安息香酸、４−クロロ−３−（（２−（４−エトキシ−２，５−ジオキソ−３−（フェニル）メチル）−１−イミダゾリジニル）−４，４−ジメチル−１，３−ジオキソペンチル）アミノ−、ドデシル。
カプラー−６：テトラデカンアミド、Ｎ−（３−（（４−（（２−（２，４−ビス−（１，１−ジメチルプロピル）フェノキシ）−１−オキソブチル）アミノ）フェニル）チオ）−４，５−ジヒドロ−１−（２，４，６−トリクロロフェニル）−１Ｈ−ピラゾール−３−イル）アミノ）−４−クロロフェニル）−。
【０１０２】
カプラー７：テトラデカンアミド、Ｎ−（４−クロロ−３−（（４−（（３，４−ジメトキシフェニル）アゾ）−４，５−ジヒドロ−５−オキソ−１−（２，４，６−トリクロロフェニル）−１Ｈ−ピラゾロ−３−イル）アミノ）フェニル）−２−（３−（１，１−ジメチルエチル）−４−ヒドロキシフェノキシ）−。
カプラー８：２−ナフタレンカルボキシアミド、１−ヒドロキシ−４−（２−ニトロ−４−（（（１−フェニル−１Ｈ−テトラゾール−５−イル）チオ）メチル）フェノキシ）−Ｎ−（２−（テトラデシルオキシ）フェニル）−。
【０１０３】
カプラー９：ブタンアミド、２−（２，４−ビス（１，１−ジメチルプロピル）フェノキシ）−Ｎ−（４−（４，５−ジヒドロ−５−オキソ−４−（（１−フェニル−１Ｈ−テトラゾール−５−イル）チオ）−３−（１−ピロリジニル）−１Ｈ−ピラゾール−１−イル）フェニル）−。
カプラー１０：安息香酸、４−クロロ−３−（（２−（４−エトキシ−２，５−ジオキソ−３−（フェニルメチル）−１−イミダゾリジニル）−３−（４−メトキシフェニル）−１，３−ジオキソプロピル）アミノ）−、ドデシルエステル。
【０１０４】
カプラー１１：１Ｈ−テトラゾール−１−酢酸、５−（（（（（２−（１−（（（２−クロロ−５−（（ヘキサデシルスルホニル）アミノ）フェニル）アミノ）カルボニル）−３，３−ジメチル−２−オキソブトキシ）−５−ニトロフェニル）メチル）エチルアミノ）カルボニル）チオ）−、プロピルエステル。
カプラー１２：ナフタレンカルボキシアミド、４−（（１−エチル）−１Ｈ−テトラゾール−５−イル）チオ）−１−ヒドロキシ−Ｎ−（２−テトラデシルオキシ）フェニル）−。
【０１０５】
カプラー１３：１Ｈ−テトラゾール−１−酢酸、５−（（（４−（（３−（アミノカルボニル）−４−ヒドロキシ−１−ナフタレニル）オキシ）−３−（（ヘキサデシルスルホニル））アミノ）フェニル）メチル）チオ）−、プロピルエステル。
カプラー１４：プロパン酸、３−（（（２−ドデシルオキシ−５−メチルフェニル）アミノ）カルボニル）−４−ヒドロキシ−１−ナフタレニル）チオ）。
【０１０６】
ＯＤＳ：１，４−ベンゼンジオール、２，５−ビス（１，１，３，３−テトラメチルブチル）−。
次の層を記載した順に透明アセテートフィルム支持体に塗布した。例７および２と同様、各量の単位はｍｇ／ｍ２  である。
例９（比較）
層１：ハレーション防止層
灰色銀                                              １５０．０
ＵＶ色素ＵＶ−１                                      ７５．３
ゼラチン                                          ２４２１．０
必要な金属イオン封鎖剤および汚染防止剤
層２：低感度赤感性乳剤層
シアン乳剤ＣＥ−１                                  ５２７．２
シアン乳剤ＣＥ−５                                  ５２７．２
カプラー−２                                          ５３．８
カプラー−１                                        ５３８．０
ゼラチン                                          １７７５．４
層３：中感度赤感性乳剤層
シアン乳剤ＣＥ−４Ａ                                ８０７．０
カプラー−２                                          ３２．３
カプラー−１                                        ２５８．２
カプラー−３                                          ５９．２
カプラー−４                                          ４３．０
ゼラチン                                          １６１４．０
層４：高感度赤感性乳剤層
シアン乳剤ＣＥ−６                                  ８６０．８
カプラー−１                                          ９６．８
カプラー−３                                          ４５．２
カプラー−４                                          ４３．０
カプラー−１２                                          ５．４
ゼラチン                                          １７１８．４
層５：中間層
ＯＤＳ−１                                            ７５．３
ゼラチン                                            ８６０．８
層６：低感度緑感性乳剤層
マゼンタ乳剤ＭＥ−１                                ２５８．３
マゼンタ乳剤ＭＥ−５                                ５１６．５
カプラー−６                                        ２４７．５
カプラー−７                                          ３２．３
ゼラチン                                          １６６７．８
層７：中感度緑感性乳剤層
マゼンタ乳剤ＭＥ−６                              １０２２．２
カプラー−６                                        １２９．１
カプラー−７                                          ６４．６
カプラー−９                                            ２．７
カプラー−１３                                        １０．８
ゼラチン                                          １５７１．０
層８：高感度緑感性乳剤層
マゼンタ乳剤ＭＥ−７                              １１２９．８
カプラー−６                                          ９６．８
カプラー−７                                          ５３．８
カプラー−９                                            ２．２
カプラー−１３                                        ３７．７
ゼラチン                                          １３９８．８
層９：イエローフィルター層
ＹＦＤ                                              １３４．５
ＯＤＳ                                              １０７．６
ゼラチン                                            ８６０．８
層１０：低感度青感性乳剤層
イエロー乳剤ＹＥ−１ｂ                              ４８４．２
カプラー−５                                        ７４２．９
カプラー−１０                                      １６１．４
カプラー−１１                                        ３２．３
カプラー−１４                                          ５．４
ゼラチン                                          １７７５．４
層１１：高感度青感性乳剤層
イエロー乳剤ＹＥ−２ｂ                              ３７６．６
カプラー−５                                        ２３６．７
カプラー−１０                                      １３９．９
カプラー−１１                                        ６４．６
カプラー−１４                                          ５．４
ゼラチン                                          １０７６．０
層１２：保護上塗り層
リップマン臭化銀                                    １０７．６
ＵＶ色素ＵＶ−１                                    １０７．６
ＵＶ色素ＵＶ−２                                    １０７．６
ゼラチン                                          １０７６．０
硬膜剤  ビス（ビニルスルホニルメチル）エーテルを添加した。
【０１０７】
例１０（本発明）は、以下のこと以外は例９と同じである。
層１０：低感度青感性乳剤層イエロー乳剤ＹＥ−１ｂをＹＥ−３ｂで置き換える。
層１１：高感度青感性乳剤層イエロー乳剤ＹＥ−２ｂをＹＥ−４ｂで置き換える。
【０１０８】
全体の色再現は三種の記録の細かいバランスにも依存するので、三種の記録全てにおいて、これらの例が同じ線状の特性曲線形状を示すことが非常に重要である。各フィルムが、相当する色記録において同じガンマ値を有したこと（例えば、あるフィルムの赤ガンマが別のフィルムの赤ガンマと同じであり、あるフィルムの緑ガンマが別のフィルムの緑ガンマと同じであり、そしてあるフィルムの青ガンマが別のフィルムの青ガンマと同じである）を確認した後、それぞれのフィルムの分光感度測定した。図７は、例７のフィルム要素の分光感度を表わす。例７のフィルム要素は、４７０ｎｍにピーク波長を有する狭い青分光感度プロフィールを有することに留意されたい。図８は、例８のフィルム要素の分光感度を表わす。例８のフィルム要素は、例７のネガティブよりも広い青感度プロフィールを有することに留意されたい。特に例８のフィルム（本発明）は、４４０ｎｍでのピーク感度および４６０ｎｍでのもう一つのピークを有する。二つのピークの高さはほぼ同じである。４８５ｎｍでの感度は最大感度の５０％より小さく、４１０ｎｍでの感度は、４４０ｎｍもしくは４６０ｎｍでのいずれのピークの６０％よりも小さい。
【０１０９】
いくつかの光源を用いて、青分光感度の形状のみが異なる前記二つのフィルムでグレーの対象物を撮影した。前記光源には、温白色デラックス蛍光ライト、冷白色蛍光ライト、ウルトラルーメ（エコノミー蛍光）、水銀灯および模擬デイライト（ＨＭＩ）が含まれる。このフィルムを、標準Ｃ−４１薬品で処理した。そして、コダックＫＤＰＳ自動プリンターを用いて、このプリンターが模擬デイライト条件で露光したフィルムに設定されている場合の、各光源下で露光したそれぞれのネガティブのプリンター飽和度パラメータを測定した。即ち、模擬デイライト下でグレー対象物を撮影した例７のフィルムを、他のライティング条件下で前記グレー対象物を撮影した例７フィルムの基準ネガティブ（即ち、このネガティブの場合のＤ’を０に設定した）として用いた。
【０１１０】
同じ様に、グレーフィルムフレームを撮影した例８のフィルムを、他のライティング条件下でグレー対象物を撮影した例８のフィルムの基準ネガティブとして役に立つ、模擬デイライト光源下で露光した。
そして、他のネガティブに対する、本発明のネガティブをプリントした場合の最終プリントカラーバランスの利点を説明するために、露光済みネガティブをプリンター補正アルゴリズムの異なる二種類の設定で（５０％色補正もしくは１００％色補正）自動プリンター内でプリントした。例７〜１０の各例のフィルムの場合、この手順は、（１）基準ネガティブ（プリンターが、ＫＯＤＡＫ  Ｅｄｇｅ  ｐｈｏｔｏｇｒａｐｈｉｃ  ｐａｐｅｒ  上に完全なグレープリントを作成するように、ＨＭＩ模擬デイライト下でグレーカードを撮影するのに用いた同じ例のフィルムに由来するネガティブ）に関して用いるプリンターの設定、そして（２）自動プリンターメカニズムを用いて、（Ａ）５０％色補正もしくは（Ｂ）１００％色補正のいずれか、および上記Ｇｏｌｌ等の文献に記載されるサブジェクトフェリア抑制（ＳＦＳ）限界を用いる光源下で作成した露光済みネガティブをプリントすることからなる。手順（Ａ）は、典型的な現代のミニラボ操作であり、手順（Ｂ）は、典型的な現代の高容量フォトフィニッシング操作である。手順（Ｂ）を用いた下記例において使用するＴ−スペース限界（上記）を、Ｔ−スペースの次のポイントにより定義した。
【０１１１】
0003595018.tif 000008
得られたプリントのステータスＡ濃度を測定し、三線プロット分析を用いて残留のカラープリントバランスの程度および方向を決定した。プリンター飽和度および残留のプリントバランスの値を以下の表に表わす。フィルムのピーク感度を下記表ＶＩ（二つの数字は、示した波長での二つのピークを示す）に要約する。
【０１１２】
例８および１０のフィルムは本発明のフィルムであり、例７および９のフィルムは比較である。例７および８のフィルムは、調和した赤、緑および青ガンマ値を有する。例９および１０のフィルムも、調和した赤、緑および青ガンマ値を有するが、例９および１０のフィルムのガンマ値は、例７および８のフィルムの値よりも高い。。各光源の場合の値を表ＶＩＩに示す。
【０１１３】
各光源下で露光し、そして５０％補正もしくは色相依存補正（上記）のいずれかでプリントした、それぞれのフィルムのプリントカラーバランスおよびプリンター飽和度を表ＶＩＩに示す。既に指摘したように、模擬デイライト下で露光したフィルムを、基準ネガティブとして用いた。異なるライティング条件下で露光したそれぞれのフィルムの平均値を、表中の「平均」の所で示した。ＣＩＥＬａｂ値を、ＣＩＥ  Ｐｕｂｌｉｃａｔｉｏｎ  １５．２に推奨する、１９７６  ＣＩＥＬａｂ  カラースペース計算を用いて得た。また、そのような計算は、Ｍｅａｓｕｒｉｎｇ  Ｃｏｌｏｒ  Ｒ．Ｗ．Ｇ．  Ｈｕｎｔ，  １９７８  （Ｅｌｌｉｓ  Ｈｏｒｗｏｏｄ  Ｌｉｍｉｔｅｄ，  Ｃｈｉｃｈｅｓｔｅｒ，  Ｗｅｓｔ，  Ｓｕｓｓｅｘ，  Ｅｎｇｌａｎｄ  発行）に記載される。
【０１１４】
【表４】
0003595018.tif 000009
【０１１５】
注：（Ｉ）は本発明であり、（Ｃ）は比較である。
【０１１６】
【表５】
0003595018.tif 000010
【０１１７】
注：ＷＷＤ：フィリップス温白色デラックス蛍光球
Ｕ３０：フィリップスウルトラルーメ３０蛍光球
ＣＷ：フィリップス冷白蛍光球
ＭＶ：水銀灯
表ＶＩＩの結果を考察すると、記載したいずれの光源下で露光し、自動プリンターで処理した場合でも、本発明の各フィルムが、本発明の要件に適合しないフィルムよりも低いプリンター飽和度値を与えることがわかるであろう。更に、プリンター補正のタイプにかかわらず、予期した様により低い飽和度値はより低い残留プリントカラーバランスを導く。また、用いたプリンター補正アルゴリズムのタイプは、この結果を変えなかった。例えば、このことは、用いたプリンター補正にかかわらず、サンプル１と５、もしくは１１と１５との比較、または、同じライティング条件下で露光した本発明のフィルムと本発明でないフィルムの他のいずれの組合せの比較からも理解できる。
【０１１８】
本発明の他の好ましい態様を請求項との関連において、次ぎに記載する。尚、態様１および１０は、請求項１および２と同じである。
（態様１）透明ベースおよび以下の各分光感度要件を満足する青感性ハロゲン化銀乳剤層を含んでなるカラー写真ネガティブ：
Ｓｍａｘ（４２６−４４４ｎｍ）≧６５％Ｓｍａｘ（４００−５００ｎｍ）
ＩＳ（４２５−４５０）  ≧２５％（ＩＳ（４００−５００）  ）
［式中、Ｓｍａｘ（４２６−４４４ｎｍ）は、４２６〜４４４ｎｍの間の最大感度であり、
Ｓｍａｘ（４００−５００ｎｍ）は、４００〜５００ｎｍの間の最大感度であり、
ＩＳ（４２５−４５０）  は、４２５〜４５０ｎｍでの青感性層の積分した分光感度であり、そして
ＩＳ（４００−５００）  は、４００〜５００ｎｍの領域での青感性層の積分した分光感度である］。
（態様２）透明ベースおよび以下の各分光感度要件を満足する青感性ハロゲン化銀乳剤層を含んでなるカラー写真要素：
４２６ｎｍ≦λＢｍａｘ≦４４４ｎｍ
Ｓ｛４００−（  λＢｍａｘ−１５）、（λＢｍａｘ＋１５）−５００｝＜６５％（ＳλＢｍａｘ）
ＩＳ（４２５−４５０）  ≧２５％（ＩＳ（４００−５００）  ）
［式中、λＢｍａｘは、青感性層の最大青感度の波長であり；
ＳλＢｍａｘは、λＢｍａｘでの感度であり；
Ｓ｛４００−（  λＢｍａｘ−１５）、（λＢｍａｘ＋１５）−５００｝は、４２６〜４４４ｎｍの範囲を    除いた４００〜５００ｎｍの間の任意の感度であり；
ＩＳ（４２５−４５０）  は、４２５〜４５０ｎｍでの青感性層の積分した分光感度であり、そして
ＩＳ（４００−５００）  は、４００〜５００ｎｍの領域での青感性層の積分した分光感度である］。
（態様３）透明ベース並びに酸化された発色現像主薬との反応時にシアン色素を生成するカプラーを含有する赤感性ハロゲン化銀乳剤層、酸化された発色現像主薬との反応時にマゼンタ色素を生成するカプラーを含有する緑感性ハロゲン化銀乳剤層、および酸化された発色現像主薬との反応時にイエロー色素を生成するカプラーを含有する青感性ハロゲン化銀乳剤層を含んでなるカラー写真ネガティブであって、
前記青感性ハロゲン化銀層が、以下の各分光感度要件を満足する前記ネガティブ：
Ｓｍａｘ（４２６−４４４ｎｍ）≧６５％Ｓｍａｘ（４００−５００ｎｍ）
ＩＳ（４２５−４５０）  ≧２５％（ＩＳ（４００−５００）  ）
［式中、Ｓｍａｘ（４２６−４４４ｎｍ）は、４２６〜４４４ｎｍの間の最大感度であり、
Ｓｍａｘ（４００−５００ｎｍ）は、４００〜５００ｎｍの間の最大感度であり、
ＩＳ（４２５−４５０）  は、４２５〜４５０ｎｍでの青感性層の積分した分光感度であり、そして
ＩＳ（４００−５００）  は、４００〜５００ｎｍの領域での青感性層の積分した分光感度である］。
（態様４）以下の感度要件を満足する態様３に記載のカラー写真ネガティブ：
４２６ｎｍ≦λＢｍａｘ≦４４４ｎｍ
Ｓ｛４００−（  λＢｍａｘ−１５）、（λＢｍａｘ＋１５）−５００｝＜６５％（ＳλＢｍａｘ）
ＩＳ（４２５−４５０）  ≧２５％（ＩＳ（４００−５００）  ）
［式中、λＢｍａｘは、青感性層の最大青感度の波長であり；
ＳλＢｍａｘは、λＢｍａｘでの感度であり；
Ｓ｛４００−（  λＢｍａｘ−１５）、（λＢｍａｘ＋１５）−５００｝は、４２６〜４４４ｎｍの範囲を除いた４００〜５００ｎｍの間の任意の感度であり；
ＩＳ（４２５−４５０）  は、４２５〜４５０ｎｍでの青感性層の積分した分光感度であり、そして
ＩＳ（４００−５００）  は、４００〜５００ｎｍの領域での青感性層の積分した分光感度である］。
（態様５）以下の感度要件を満足する態様３に記載のカラー写真ネガティブ：
６１５ｎｍ≦λＲｍａｘ≦６４０ｎｍ。
（態様６）前記青感性層のハロゲン化銀乳剤が、ハロゲン化物含有率が８０％未満の塩化物でありそして粒子が少なくとも８の平板状度を有する、ハロゲン化銀平板状粒子乳剤である態様３に記載のカラー写真ネガティブ。
（態様７）前記青感性層のハロゲン化銀乳剤が、ハロゲン化物含有率が８０％未満の塩化物でありそして粒子が少なくとも１００の平板状度を有する、ハロゲン化銀平板状粒子乳剤である態様６に記載のカラー写真ネガティブ。
（態様８）前記青感性層のハロゲン化銀乳剤が、少なくとも１００の平板状度を有する臭沃化銀平板状粒子乳剤である態様６に記載のカラー写真ネガティブ。
（態様９）前記青感性層のハロゲン化銀乳剤が、塩化物１０％未満および沃化銀１０％未満であるハロゲン化物含有率を有する態様３に記載のカラー写真ネガティブ。
（態様１０）被写体カラーネガティブの色濃度を測定し、基準ネガティブに対する被写体ネガティブの色飽和度の差を評価し、そして、最適なカラーバランスのプリントを作成するのに基準ネガティブが必要とするのと同一の赤、緑および青露光量を被写体ネガティブに与えた場合よりも、被写体ネガティブから作成されるプリントが、基準ネガティブから作成された最適なカラーバランスのプリントにより近いカラーバランスを有するように、前記差に基づいて被写体ネガティブの赤、緑もしくは青光露光量を調節する、プリンターで前記ネガティブをプリントすることを含んでなる被写体カラーネガティブからポジをプリントする方法であって；
露光および処理以前に、前記被写体ネガティブが、透明ベース並びに酸化された発色現像主薬との反応時にシアン色素を生成するカプラーを含有する赤感性ハロゲン化銀乳剤層、酸化された発色現像主薬との反応時にマゼンタ色素を生成するカプラーを含有する緑感性ハロゲン化銀乳剤層、および酸化された発色現像主薬との反応時にイエロー色素を生成するカプラーを含有する青感性ハロゲン化銀乳剤層を含んでなり、
前記青感性ハロゲン化銀層が以下の各分光感度要件を満足する前記方法：
Ｓｍａｘ（４２６−４４４ｎｍ）≧６５％Ｓｍａｘ（４００−５００ｎｍ）
ＩＳ（４２５−４５０）  ≧２５％（ＩＳ（４００−５００）  ）
［式中、Ｓｍａｘ（４２６−４４４ｎｍ）は、４２６〜４４４ｎｍの間の最大感度であり、
Ｓｍａｘ（４００−５００ｎｍ）は、４００〜５００ｎｍの間の最大感度であり、
ＩＳ（４２５−４５０）  は、４２５〜４５０ｎｍでの青感性層の積分した分光感度であり、そして
ＩＳ（４００−５００）  は、４００〜５００ｎｍの領域での青感性層の積分した分光感度である］；そして
５３０ｎｍ≦λＧｍａｘ≦５７０ｎｍ、および
５８０ｎｍ≦λＲｍａｘ≦６６０ｎｍ
（式中、λＧｍａｘは、緑感性層の最大緑感度の波長であり、そして
λＲｍａｘは、赤感性層の最大赤感度の波長である）。
【図面の簡単な説明】
【図１】例１フィルムの青感性層の感度プロフィール。
【図２】例２フィルムの青感性層の感度プロフィール。
【図３】例３フィルムの青感性層の感度プロフィール。
【図４】例４フィルムの青感性層の感度プロフィール。
【図５】例５フィルムの青感性層の感度プロフィール。
【図６】例６フィルムの青感性層の感度プロフィール。
【図７】例７フィルム要素の感度プロフィール。
【図８】例８フィルム要素の感度プロフィール。
【図１】
0003595018.tif 000011
【図２】
0003595018.tif 000012
【図３】
0003595018.tif 000013
【図４】
0003595018.tif 000014
【図５】
0003595018.tif 000015
【図６】
0003595018.tif 000016
【図７】
0003595018.tif 000017
【図８】
0003595018.tif 000018